(57)【要約】  少なくとも一つのグリッド（３０００）は、需要家（７０００）へ配電を行う。グリッド（３０００）は、他のグリッド（３０００）へ送電を行う。グリッド統合制御装置（２０００）は、各グリッド（３０００）について、他のグリッド（３０００）へ供給する電力量と、他のグリッド（３０００）から供給される電力量との差を示す需給電力量情報を取得する需給電力量情報取得部（２０３０）、グリッド（３０００）間の送電コストを示すコスト情報を取得するコスト情報取得部（２０５０）、及び需給電力量情報とコスト情報に基づいて、各グリッド（３０００）の電力需要を満たしつつ送電コストの合計を小さくするように、各グリッド（３０００）間の送電電力量を決定するグリッド制御部（２０２０）を有する。
2014020951.tif 000002
【特許請求の範囲】
【請求項１】
分散配置された複数のグリッドを制御するグリッド統合制御装置であって、
前記グリッドは、送電線を介して他の前記グリッドとの間で電力の送受電を行う送受電手段と、通信回線を介して接続されている当該グリッド統合制御装置から受信する制御指示に基づいて前記送受電手段を制御するグリッド制御手段を有し、
前記グリッドの少なくとも一つは電力を消費する需要家へ電力を配電する配電手段を有し、
当該グリッド統合制御装置は、
各前記グリッドについて、該グリッドが他の前記グリッドへ供給する電力量と該グリッドが他の前記グリッドから供給される電力量の差を示す需給電力量を有する需給電力量情報を取得する需給電力量情報取得手段と、
前記グリッド間の送電にかかるコストを示すコスト情報を取得するコスト情報取得手段と、
前記需給電力量情報取得手段が取得した前記需給電力量情報と、前記コスト情報取得手段が取得した前記コスト情報に基づいて、送電元の前記グリッド、送電先の前記グリッド及び送電電力量の組み合わせを決定し、決定された組み合わせに基づいて、各前記グリッドによる送電を制御する前記制御指示を生成して、各前記グリッドへ該制御指示を送信するグリッド制御指示生成手段と、
を有するグリッド統合制御装置。
【請求項２】
前記コスト情報が示すコストは、前記送電線を通じた電力送電にかかる託送料金を用いて定められている請求項１記載のグリッド統合制御装置。
【請求項３】
前記コスト情報が示すコストは、前記送電線を通じた電力送電による電力損失を用いて定められている請求項１または２に記載のグリッド統合制御装置。
【請求項４】
前記需給電力量情報取得手段は、前記需給電力量情報を繰り返し取得し、
前記グリッド制御指示生成手段は、前記需給電力量情報取得手段が前記需給電力量情報を取得する度に、前記制御指示の生成及び送信を行う請求項１乃至３いずれか一項記載のグリッド統合制御装置。
【請求項５】
請求項１乃至４いずれか一項に記載のグリッド統合制御装置であって、
少なくとも１つ以上の前記グリッドは、電力を蓄電できる蓄電手段を有し、前記グリッド制御手段は、前記グリッド統合制御装置から受信する制御指示に基づいて前記蓄電手段の充放電を行い、
当該グリッド統合制御装置は、
前記蓄電手段の蓄電電力量を示す蓄電情報を取得する蓄電情報取得手段と、
前記蓄電手段の蓄電電力量の適正範囲を示す適正範囲情報を取得する適正範囲情報取得手段と、を有し、
前記需給電力量情報は、複数の時間帯のそれぞれについて、各前記グリッドごとの前記需給電力量を有し、
前記グリッド制御指示生成手段は、
前記蓄電情報取得手段から、前記蓄電手段の前記蓄電情報を取得し、
前記適正範囲取得手段から、前記蓄電手段の前記適正範囲情報を取得し、
前記需給電力量情報、前記蓄電情報及び前記適正範囲情報に基づいて、各時間帯について、送電元の前記グリッド、送電先の前記グリッド、送電電力量の組み合わせ、及び各前記蓄電手段が充放電する電力量を決定し、
決定された組み合わせに基づいて、各前記グリッドによる送電と前記蓄電手段による充放電を制御する前記制御指示を生成して各前記グリッドへ送信するグリッド統合制御装置。
【請求項６】
請求項５記載のグリッド統合制御装置であって、
前記グリッドの少なくとも一つは電力を発電する発電手段を有し、
当該グリッド統合制御装置は、
前記発電手段の発電電力量を示す発電情報を取得する発電情報取得手段と、
前記蓄電手段及び前記発電手段の双方を有する前記グリッドについては、２つ以上の複数の時間帯のそれぞれについて、前記発電情報取得手段から前記発電情報を取得し、取得した前記発電情報に基づいて該蓄電手段の蓄電電力量の適正範囲を決定する適正範囲決定手段と、
を有するグリッド統合制御装置。
【請求項７】
前記適正範囲決定手段は、前記蓄電電力量の適正範囲の決定において、前記複数の時間帯における前記発電情報に基づいて、発電電力量が増加した前記発電手段と同じ前記グリッドに備えられている前記蓄電手段の蓄電電力量の前記適正範囲の上限値を小さくし、発電電力量が減少した前記発電手段と同じ前記グリッドに備えられている前記蓄電手段の蓄電電力量の前記適正範囲の下限値を大きくする請求項６記載のグリッド統合制御装置。
【請求項８】
前記適正範囲決定手段は、前記蓄電電力量の適正範囲の決定を繰り返し行う請求項６または７に記載のグリッド統合制御装置。
【請求項９】
前記グリッドが他の前記グリッドから供給される電力量を示す需要電力量を取得する需要電力量取得手段と、
前記グリッドが他の前記グリッドへ供給する電力量を示す供給電力量を取得する供給電力量取得手段と、
前記需要電力量取得手段が取得する前記需要電力量と前記供給電力量取得手段が取得する供給電力量の差を示す需給電力量を算出する需給電力量算出手段と、を有し、
前記需給電力量情報取得手段は、前記需給電力量算出手段が算出する前記需給電力量を有する前記需給電力量情報を取得する請求項１乃至８いずれか一項に記載のグリッド統合制御装置。
【請求項１０】
グリッド制御装置と、複数の前記グリッド制御装置を制御するグリッド統合制御装置を有するグリッド制御システムであって、
前記グリッドは、少なくとも一つ以上の他の前記グリッドと送電線で接続されており、前記送電線を介して他の前記グリッドとの間で電力の送受電を行う送受電手段を有し、
少なくとも一つの前記グリッドは電力を消費する需要家へ電力を配電する配電手段を有し、
前記グリッド制御装置は、
前記グリッドが他の前記グリッドから供給される電力量を示す需要電力量を取得する需要電力量取得手段と、
前記グリッドが他の前記グリッドへ供給する電力量を示す供給電力量を取得する供給電力量取得手段と、
前記供給電力量取得手段が取得する前記供給電力量と前記需要電力量取得手段が取得する前記需要電力量の差を示す需給電力量を有する需給電力量情報を生成し、前記グリッド統合制御装置へ送信する需給電力量情報生成手段と、
通信回線を介して接続されている前記グリッド統合制御装置からの指示に従い、前記送受電手段を制御するグリッド制御手段と、を有し、
前記グリッド統合制御装置は、
各前記グリッド制御装置から前記需給電力量情報を取得する需給電力量情報取得手段と、
前記グリッド間の送電にかかるコストを示すコスト情報を取得するコスト情報取得手段と、
前記需給電力量情報取得手段が取得する前記需給電力量情報と、前記コスト情報取得手段が取得する前記コスト情報に基づいて、送電元の前記グリッド、送電先の前記グリッド及び送電電力量の組み合わせを決定し、決定された組み合わせに基づいて、各前記グリッド制御装置へ指示を送信するグリッド制御指示生成手段と、
を有するグリッド制御システム。
【請求項１１】
グリッドを制御するグリッド制御装置と、複数の前記グリッド制御装置を制御するグリッド統合制御装置を有するグリッド制御システムであって、
前記グリッドは、通信回線を介して前記グリッド統合制御装置と接続されており、少なくとも一つ以上の他の前記グリッドと送電線で接続されており、前記送電線を介して他の前記グリッドとの間で電力の送受電を行う送受電手段を有し、少なくとも一つの前記グリッドは電力を消費する需要家へ電力を配電する配電手段を有し、
前記グリッド制御装置は、通信回線を介して接続されている前記グリッド統合制御装置からの指示に従い、前記送受電手段を制御するグリッド制御手段を有し、
前記グリッド統合制御装置は、
前記グリッドが他の前記グリッドから供給される電力量を示す需要電力量を取得する需要電力量取得手段と、
前記グリッドが他の前記グリッドへ供給する電力量を示す供給電力量を取得する供給電力量取得手段と、
前記供給電力量取得手段が取得する前記供給電力量と前記需要電力量取得手段が取得する前記需要電力量の差を示す需給電力量を算出する需給電力量算出手段と、
前記グリッド間の送電にかかるコストを示すコスト情報を取得するコスト情報取得手段と、
前記需給電力量算出手段から取得する前記需給電力量と、前記コスト情報取得手段から取得する前記コスト情報に基づいて、送電元の前記グリッド、送電先の前記グリッド及び送電電力量の組み合わせを決定し、決定された組み合わせに基づいて、各前記グリッド制御装置へ前記指示を送信するグリッド制御指示生成手段と、
を有するグリッド制御システム。
【請求項１２】
グリッドを制御するグリッド制御装置であって、
前記グリッドは、少なくとも一つ以上の他の前記グリッドと送電線で接続されており、前記送電線を介して他の前記グリッドとの間で電力の送受電を行う送受電手段を有し、
少なくとも一つの前記グリッドは電力を消費する需要家へ電力を配電する配電手段を有し、
当該グリッド制御装置は、
前記グリッドが他の前記グリッドから供給される電力量を示す需要電力量を取得する需要電力量取得手段と、
前記グリッドが他の前記グリッドへ供給する電力量を示す供給電力量を取得する供給電力量取得手段と、
前記供給電力量取得手段が取得する前記供給電力量と前記需要電力量取得手段が取得する前記需要電力量の差を示す需給電力量を算出する需給電力量算出手段と、
該グリッド制御装置と通信回線を介して接続されており、該グリッド制御装置から取得する前記需給電力量に基づいて、送信元の前記グリッド、送信先の前記グリッド、送電電力量の組み合わせを決定する前記グリッド統合制御装置からの指示に従い、前記送受電手段を制御するグリッド制御手段と、
を有するグリッド制御装置。
【請求項１３】
コンピュータに、分散配置された複数のグリッドを制御するグリッド統合制御装置として動作する機能を持たせるプログラムであって、
前記グリッドは、少なくとも一つ以上の他の前記グリッドと送電線で接続されており、前記送電線を介して他の前記グリッドとの間で電力の送受電を行い、通信回線を介して接続されている前記コンピュータから受信する制御指示に基づいて前記電力の送受電を制御し、
前記プログラムは、前記コンピュータに、
各前記グリッドについて、該グリッドが他の前記グリッドへ供給する電力量と該グリッドが他の前記グリッドから供給される電力量の差を示す需給電力量を有する需給電力量情報を取得する機能と、
前記グリッド間の送電にかかるコストを示すコスト情報を取得する機能と、
前記需給電力量情報と前記コスト情報に基づいて、送電元の前記グリッド、送電先の前記グリッド及び送電電力量の組み合わせを決定し、決定された組み合わせに基づいて、各前記グリッドによる送電を制御する制御指示を生成して、各前記グリッドへ該制御指示を送信する機能と、
を持たせるプログラム。
【請求項１４】
分散配置された複数のグリッドを制御するコンピュータによって実行される制御方法であって、
前記グリッドは、少なくとも一つ以上の他の前記グリッドと送電線で接続されており、前記送電線を介して他の前記グリッドとの間で電力の送受電を行い、通信回線を介して接続されている前記コンピュータから受信する制御指示に基づいて前記電力の送受電を制御し、
当該制御方法は、
各前記グリッドについて、該グリッドが他の前記グリッドへ供給する電力量と該グリッドが他の前記グリッドから供給される電力量の差を示す需給電力量を有する需給電力量情報を取得するステップと、
前記グリッド間の送電にかかるコストを示すコスト情報を取得するステップと、
前記需給電力量情報と前記コスト情報に基づいて、送電元の前記グリッド、送電先の前記グリッド及び送電電力量の組み合わせを決定し、決定された組み合わせに基づいて、各前記グリッドによる送電を制御する制御指示を生成して、各前記グリッドへ該制御指示を送信するステップと、
を有する制御方法。
【発明の詳細な説明】
【技術分野】
【０００１】
本発明は、グリッド統合制御装置、グリッド制御システム、グリッド制御装置、プログラム、及び制御方法に関する。
【背景技術】
【０００２】
自律制御される電力系統を分散配置する新しい電力網が提唱されている。そのような電力網の１つにスマートグリッドがある。ここで、この分散配置された電力系統をグリッドと呼ぶ。グリッドは、従来の発電設備を備える外部の基幹電力系統からの電力供給に加え、風力や太陽光といった再生可能エネルギーを利用する発電設備を内部に備え、それらの発電設備からも電力供給を行うことが多い。こうすることで、電力の需給バランスをより柔軟に調整することができる。【０００３】
例えば特許文献１では、基幹電力系統の故障や工事による使用停止に伴う電力供給量の変動を、上記のような再生可能エネルギーによる発電電力量の調節によって吸収する総合監視システムが開示されている。【０００４】
また、各グリッド間で電力を融通することで、より柔軟に電力の需給バランスを調整する方法が提唱されている。【０００５】
例えば特許文献２では、分散配置されたグリッド間において、データ通信回線を通じて電力に関する情報を交換し合い、非同期にグリッド間で電力を融通し合う技術が開示されている。【０００６】
また、特許文献３では、熱や電力を発生させるエネルギー発生コストと、電力の送電にかかる送電コストの合計が最小になるように、エネルギー発生設備によるエネルギー発生量と送電量を決定するエネルギー設備運用計画装置が開示されている。【０００７】
さらに柔軟に電力の需給バランスを調整するために、各グリッドで電力貯蔵装置を保持し、電力を一時的に蓄電する方法も提唱されている。この方法は、例えば特許文献２において開示されている。
【先行技術文献】
【特許文献】
【０００８】
【特許文献１】特開２０１１−６１９３１号公報
【特許文献２】特許第４７８３４５３号公報
【特許文献３】特開２００１−３０９５５９号公報
【発明の概要】
【発明が解決しようとする課題】
【０００９】
グリッド間の送電にかかるコストは各グリッド間で異なる。このため、本発明者は、送電コストを考慮して電力の融通を行わないと送電コストが高くなり、無駄なコストが発生すると考えた。【００１０】
本発明の目的は、送電コストを考慮して電力の融通を行うことで、無駄な送電コストの発生を防ぐグリッド統合制御装置、プログラム及び制御方法を提供することである。
【課題を解決するための手段】
【００１１】
本発明が提供するグリッド統合制御装置は、分散配置された少なくとも２つ以上の複数のグリッドを制御するグリッド統合制御装置である。前記グリッドは、少なくとも一つ以上の他の前記グリッドと送電線で接続されており、前記送電線を介して他の前記グリッドとの間で電力の送受電を行う送受電手段と、通信回線を介して接続されている前記グリッド統合制御装置から受信する制御指示に基づいて前記送受電手段を制御するグリッド制御手段を有する。少なくとも一つの前記グリッドは電力を消費する需要家へ電力を配電する配電手段を有する。そして、前記グリッド統合制御装置は、各前記グリッドについて、該グリッドが他の前記グリッドへ供給する電力量と該グリッドが他の前記グリッドから供給される電力量の差を示す需給電力量を有する需給電力量情報を取得する需給電力量情報取得手段と、前記グリッド間の送電にかかるコストを示すコスト情報を取得するコスト情報取得手段と、前記需給電力量情報取得手段が取得した前記需給電力量情報と、前記コスト情報取得手段が取得した前記コスト情報に基づいて、前記需給電力量情報を取得した前記グリッドの需要を満たすという条件の下、前記グリッド間の送電にかかるコストの合計を小さくするように、送電元の前記グリッド、送電先の前記グリッド及び送電電力量の組み合わせを決定し、前記決定に基づいて、各前記グリッドによる送電を制御する前記制御指示を生成して、各前記グリッドへ該制御指示を送信するグリッド制御指示生成手段を有する。【００１２】
本発明が提供するグリッド制御システムは、グリッド制御装置と、少なくとも２つ以上の前記グリッド制御装置を制御するグリッド統合制御装置を有する。前記グリッドは、少なくとも一つ以上の他の前記グリッドと送電線で接続されており、前記送電線を介して他の前記グリッドとの間で電力の送受電を行う送受電手段を有する。少なくとも一つの前記グリッドは電力を消費する需要家へ電力を配電する配電手段を有する。前記グリッド制御装置は、前記グリッドが他の前記グリッドから供給される電力量を示す需要電力量を取得する需要電力量取得手段と、前記グリッドが他の前記グリッドへ供給する電力量を示す供給電力量を取得する供給電力量取得手段と、前記供給電力量取得手段が取得する前記供給電力量と前記需要電力量取得手段が取得する前記需要電力量の差を示す需給電力量を有する需給電力量情報を生成し、前記グリッド統合制御装置へ送信する需給電力量情報生成手段と、通信回線を介して接続されている前記グリッド統合制御装置からの指示に従い、前記送受電手段を制御するグリッド制御手段を有する。前記グリッド統合制御装置は、各前記グリッド制御装置から前記需給電力量情報を取得する需給電力量情報取得手段と、前記グリッド間の送電にかかるコストを示すコスト情報を取得するコスト情報取得手段と、前記需給電力量情報取得手段が取得する前記需給電力量情報と、前記コスト情報取得手段が取得する前記コスト情報に基づいて、前記需給電力情報を取得した前記グリッドの需要を全て満たすという条件の下、前記グリッド間の送電にかかるコストの合計を小さくするように、送電元の前記グリッド、送電先の前記グリッド及び送電電力量の組み合わせを決定し、前記決定に基づいて、各前記グリッド制御装置へ指示を送信するグリッド制御指示生成手段を有する。【００１３】
本発明が提供する別のグリッド制御システムは、グリッドを制御するグリッド制御装置と、少なくとも２つ以上の前記グリッド制御装置を制御するグリッド統合制御装置を有する。前記グリッドは、通信回線を介して前記グリッド統合制御装置と接続されており、少なくとも一つ以上の他の前記グリッドと送電線で接続されており、前記送電線を介して他の前記グリッドとの間で電力の送受電を行う送受電手段を有する。少なくとも一つの前記グリッドは電力を消費する需要家へ電力を配電する配電手段を有する。前記グリッド制御装置は、通信回線を介して接続されている前記グリッド統合制御装置からの指示に従い、前記送受電手段を制御するグリッド制御手段を有する。前記グリッド統合制御装置は、前記グリッドが他の前記グリッドから供給される電力量を示す需要電力量を取得する需要電力量取得手段と、前記グリッドが他の前記グリッドへ供給する電力量を示す供給電力量を取得する供給電力量取得手段と、前記供給電力量取得手段が取得する供給電力量と前記需要電力量取得手段が取得する需要電力量の差を示す需給電力量を算出する需給電力量算出手段と、前記グリッド間の送電にかかるコストを示すコスト情報を取得するコスト情報取得手段と、前記需給電力量算出手段から取得する前記需給電力量と、前記コスト情報取得手段が取得する前記コスト情報に基づいて、前記需給電力情報を生成した前記グリッドの需要を全て満たすという条件の下、前記グリッド間の送電にかかるコストの合計を小さくするように、送電元の前記グリッド、送電先の前記グリッド及び送電電力量の組み合わせを決定し、前記決定に基づいて、各前記グリッド制御装置へ指示を送信するグリッド制御指示生成手段を有する。【００１４】
本発明が提供するグリッド制御装置はグリッドを制御する。前記グリッドは、少なくとも一つ以上の他の前記グリッドと送電線で接続されており、前記送電線を介して他の前記グリッドとの間で電力の送受電を行う送受電手段を有する。少なくとも一つの前記グリッドは電力を消費する需要家へ電力を配電する配電手段を有する。そして、前記グリッド制御装置は、前記グリッドが他の前記グリッドから供給される電力量を示す需要電力量を取得する需要電力量取得手段と、前記グリッドが他の前記グリッドへ供給する電力量を示す供給電力量を取得する供給電力量取得手段と、前記供給電力量取得手段が取得する前記供給電力量と前記需要電力量取得手段が取得する前記需要電力量の差を示す需給電力量を算出する需給電力量算出手段と、該グリッド制御装置と通信回線を介して接続されているグリッド統合制御装置からの指示に従い、前記送受電手段を制御するグリッド制御手段を有する。前記グリッド統合制御装置は、前記需給電力量に基づいて、送信元前記グリッド、送信先前記グリッド、送電電力量の組み合わせを決定する。【００１５】
本発明が提供するプログラムは、コンピュータに、本発明が提供するグリッド統合制御装置として動作する機能を持たせる。当該プログラムは、このコンピュータに、本発明が提供するグリッド統合制御装置の各機能構成部が有する機能を持たせる。【００１６】
本発明が提供する制御方法は、分散配置された複数のグリッドを制御するコンピュータによって実行される制御方法である。前記グリッドは、少なくとも一つ以上の他の前記グリッドと送電線で接続されており、前記送電線を介して他の前記グリッドとの間で電力の送受電を行い、通信回線を介して接続されている前記コンピュータから受信する制御指示に基づいて前記電力の送受電を制御する。そして、前記制御方法は、各前記グリッドについて、該グリッドが他の前記グリッドへ供給する電力量と該グリッドが他の前記グリッドから供給される電力量の差を示す需給電力量を有する需給電力量情報を取得するステップと、前記グリッド間の送電にかかるコストを示すコスト情報を取得するステップと、前記需給電力量情報取得手段が取得した前記需給電力量情報と、前記コスト情報取得手段が取得した前記コスト情報に基づいて、前記需給電力量情報を取得した前記グリッドの需要を満たすという条件の下、前記グリッド間の送電にかかるコストの合計を小さくするように、送電元の前記グリッド、送電先の前記グリッド及び送電電力量の組み合わせを決定し、前記決定に基づいて、各前記グリッドによる送電を制御する制御指示を生成して、各前記グリッドへ該制御指示を送信するステップを有する。
【発明の効果】
【００１７】
本発明によれば、送電コストを考慮して電力の融通を行うことで、無駄な送電コストの発生を防ぐグリッド統合制御装置、プログラム及び制御方法を提供できる。
【図面の簡単な説明】
【００１８】
上述した目的、およびその他の目的、特徴および利点は、以下に述べる好適な実施の形態、およびそれに付随する以下の図面によってさらに明らかになる。【００１９】
【図１】実施形態１に係るグリッド統合制御装置をその使用環境と共に示すブロック図である。
【図２】需給電力量テーブルの構成を表す図である。
【図３】コストテーブルの構成を表す図である。
【図４】送電制御テーブルの構成を表す図である。
【図５】実施形態１に係る送電制御指示生成処理の流れを表すフローチャートである。
【図６】実施形態２に係るグリッド統合制御装置をその使用環境と共に示すブロック図である。
【図７】時系列需給電力量テーブルの構成を表す図である。
【図８】蓄電電力量テーブルの構成を表す図である。
【図９】適正範囲テーブルの構成を表す図である。
【図１０】充放電制御テーブルの構成を表す図である。
【図１１】実施形態２に係る送電制御指示生成処理の流れを表すフローチャートである。
【図１２】実施形態３に係るグリッド統合制御装置をその使用環境と共に示すブロック図である。
【図１３】発電電力量テーブルの構成を表す図である。
【図１４】発電電力量履歴テーブルの構成を表す図である。
【図１５】適正範囲変更処理の流れを表すフローチャートである。
【図１６】実施形態４に係るグリッド統合制御装置をその使用環境と共に示すブロック図である。
【図１７】実施形態５に係る電力制御システムをその使用環境と共に示すブロック図である。
【発明を実施するための形態】
【００２０】
以下、本発明の実施の形態について、図面を用いて説明する。尚、すべての図面において、同様な構成要素には同様の符号を付し、適宜説明を省略する。
【００２１】
なお、以下に示す説明において、各装置の各構成要素は、ハードウエア単位の構成ではなく、機能単位のブロックを示している。各装置の各構成要素は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００２２】
[実施形態１]
＜概要＞
図１は、実施形態１に係るグリッド統合制御装置２０００を、その使用環境と共に示した図である。グリッド統合制御装置２０００は、各グリッド３０００の電力需要を満たすように、グリッド３０００間における電力の送電を制御する。ここで図１において、実線の矢印はデータの流れを表し、点線の矢印は電力の流れを表す。
【００２３】
グリッド統合制御装置２０００は、少なくとも２つ以上の複数のグリッド３０００を制御する。少なくとも一つのグリッド３０００は、電力を消費する需要家７０００へ電力を配電する配電部３０３０を有する。グリッド３０００は、グリッド制御部３０２０と送受電部３０５０を有する。送受電部３０５０は、他のグリッド３０００への送電及び他のグリッド３０００からの受電を行う。ここでグリッド３０００は、少なくとも１つ以上の他のグリッド３０００と送電線５０００を介して接続されており、相互に送電が可能である。グリッド制御部３０２０は、グリッド統合制御装置２０００による指示に従い、送受電部３０５０による電力の送受電を制御する。送受電部３０５０は、配電部３０３０又は他のグリッド３０００へ電力を送電する。なお、各グリッド３０００において余った電力を、グリッド３０００内で消費できる場合には、グリッド３０００内で送電を行い、グリッド３０００内で需給の調整を行ってもよい。例えば、あるグリッド３０００内の需要家７０００が、予定していた電力の一部しか消費しなかった場合、余剰電力は、そのグリッド３０００内の他の需要家７０００に送電される。以下に記載するグリッド間の送電の制御方法は、このようなグリッド３０００内の送電にも適用可能である。そうすることで、グリッド３０００内での送電コストを低減させることができる。
【００２４】
グリッド統合制御装置２０００は、需給電力量情報取得部２０３０を有する。需給電力量情報取得部２０３０は、需給電力量を有する電力量情報を取得する。需給電力量は、グリッド３０００が他のグリッド３０００へ供給する電力量（以下、供給電力量）と、グリッド３０００が他のグリッド３０００から供給される電力量（以下、需要電力量）の差を示す電力量である。ここで、グリッド３０００が電力を発電する発電装置を有する場合、供給電力量と需要電力量の差は、グリッド内での需給調整の結果、グリッド内での発電による電力量の合計からグリッド内での各需要家の消費電力量の合計を差し引いた電力量ともいえる。したがって、以下に記載するグリッド間の送電の制御において、グリッド内での需給を優先した上でグリッド間での送電を行うことも可能である。また、グリッド統合制御装置２０００は、コスト情報取得部２０５０を有する。コスト情報取得部２０５０は、グリッド３０００間を結ぶ各送電線５０００における電力送電にかかるコストを示すコスト情報を取得する。
【００２５】
グリッド統合制御装置２０００は、グリッド制御指示生成部２０２０を有する。グリッド制御指示生成部２０２０は、需給電力量情報取得部２０３０から取得する需給電力量情報と、コスト情報取得部２０５０から取得するコスト情報を用いて、グリッド３０００間の送電電力量を決定する。すなわち、各グリッドの供給電力量の合計と需要電力量の合計の差およびコスト情報に基づき、各グリッド間における個別の送電電力量を最適化する。具体的には、グリッド統合制御装置２０００は、各グリッド３０００の電力需要を満たすという条件の下、送電にかかるコストの合計を小さくするように、各グリッド３０００間の送電電力量を決定する。そして、グリッド３０００に上記決定した送電を行わせるために、グリッド制御部３０２０へグリッド制御指示を送信する。
【００２６】
以上により、各グリッド３０００の需給電力量情報及び各送電線５０００のコスト情報に基づいて、グリッド３０００の需要を満たすという条件の下、送電にかかる総コストを小さくするようにグリッド３０００の送電を制御する。これにより、グリッド３０００間の送電にかかるコストを小さくすることができる。また、以下に記載するグリッド間の送電制御方法は、グリッド３０００内での送電にかかるコストを小さくすることにも利用できる。この場合、グリッド３０００内における需給電力量の差とグリッド３０００内での送電にかかるコスト情報に基づき、送電コストが小さくなるように送電を制御する。
【００２７】
以下、本実施形態の詳細を述べる。
【００２８】
＜構成詳細＞
グリッド３０００は、配電部３０３０を複数有していてもよい。
【００２９】
グリッド３０００は、電力を発電する発電装置を有してもよい。上記発電装置は例えば、再生可能エネルギーを利用して発電を行う発電装置である。具体的な例は、太陽光発電装置や風力発電装置などである。その他にも例えば、グリッド３０００は、原子力発電所等の従来の発電設備から電力を受電してもよい。グリッド３０００が上記発電装置や従来の発電設備から受電する電力の一部又は全部は、そのグリッド３０００内の需要家７０００や他のグリッド３０００へ供給する電力の一部又は全部となる。
【００３０】
グリッド３０００は、少なくとも１つ以上の他のグリッド３０００と、送電線５０００を介して接続されている。
【００３１】
通信回線４０００は、有線で構築されていても、無線で構築されていても、又はそれらを混在して構築されていてもよい。
【００３２】
グリッド統合制御装置２０００が、グリッド３０００間の送電電力量を決定する処理を行う契機は様々である。例えば、管理者がグリッド統合制御装置２０００に対して手動で上記処理の開始を指示する方法や、グリッド統合制御装置２０００が自動で上記処理を繰り返し行う方法などがある。
【００３３】
＜需給電力量情報の詳細＞
需給電力量情報は、例えば図２に示す需給電力量テーブル１００によって表される。需給電力量テーブル１００は例えば、グリッドＩＤ１０２及び、グリッドＩＤ１０２が示すＩＤのグリッド３０００における需給電力量を表す需給電力量１０４を有する。以下、グリッドＩＤがｉのグリッド３０００を、グリッド３０００−ｉと表記する。需給電力量は、グリッド３０００の供給電力量と需要電力量の差を示す。そのため、例えば需給電力量１０４の値が正の値の場合は供給電力量が需要電力量より多いことを表し、需給電力量１０４の値が負の値の場合は需要電力量が供給電力量より多いことを表す。例えば図２の場合は、グリッド３０００−１は１００ｋＷｈ、グリッド３０００−３は２００ｋＷｈ、それぞれ供給電力量が需要電力量より多い。一方グリッド３０００−２は、需要電力量が供給電力量より３００ｋＷｈ多い。
【００３４】
需給電力量は例えば、グリッド３０００の保有者間の電力の売買契約によって定まる。その他にも例えば、グリッド３０００が発電装置を有する場合、需給電力量は、発電装置の持ち主と需要家７０００間の電力の売買契約によって定まる。その他にも、グリッド３０００が発電装置を有する場合、需給電力量は、例えばグリッド３０００が有する発電部３０６０が発電する電力量と、グリッド３０００から電力の供給を受ける需要家７０００が消費する電力量の差から定める方法がある。
【００３５】
＜コスト情報の詳細＞
コスト情報は、例えば図３に示すコストテーブル２００で表される。コストテーブル２００は例えば、送電線５０００の片側のグリッド３０００のＩＤであるグリッド１ＩＤ２０２、送電線５０００のもう一方側のグリッド３０００のＩＤであるグリッド２ＩＤ２０４、及びグリッド１ＩＤ２０２が示すグリッドとグリッド２ＩＤ２０４が示すグリッドを結ぶ送電線５０００を利用した送電にかかるコストを示すコスト２０６を有する。コスト２０６は例えば、送電線５０００を介して１Ｗの電力を１時間送電するためのコストを示す。
【００３６】
送電コストの定め方は様々である。例えば、送電線５０００を利用するために必要となる託送料金を用いて定める方法、送電線５０００を介して送電する場合の電力損失を用いて定める方法、又はその双方によって定める方法などがある。託送料金と電力損失の双方を用いてコストを定める方法は例えば、託送料金と電力損失を各々正規化し、正規化した託送料金と正規化した電力損失の積をコストとする方法がある。
【００３７】
＜グリッド制御指示の詳細＞
グリッド制御指示生成部２０２０からグリッド制御部３０２０へ送信するグリッド制御指示は、グリッド３０００が電力を送電する送電先のグリッド３０００と、グリッド３０００へ送電する電力量の組み合わせを有する。これは、例えば図４に示す送電制御テーブル３００で表される。送電制御テーブル３００は例えば、送電先のグリッド３０００のＩＤを示すグリッドＩＤ３０２、グリッドＩＤ３０２が示すグリッド３０００へ送電する送電電力量を示す送電電力量３０４を有する。
【００３８】
＜グリッド間の送電電力量の決定方法＞
グリッド間の送電電力量を決定する方法は例えば、以下の数式１で表される線形計画問題１を満たす送電電力Ｐｌ（ｉ，ｊ）を求める方法である。ここでＰｌ（ｉ，ｊ）は、グリッド３０００−ｉからグリッド３０００−ｊへ送電する電力の大きさである。グリッド３０００がグリッド統合制御装置２０００の制御に従って送電を行う時間の長さをＴｐとすると、グリッド３０００−ｉからグリッド３０００−ｊへ送電する送電電力量は、Ｐｌ（ｉ，ｊ）・Ｔｐで表される。下記線形計画問題１を解くことで、送電線５０００を介した電力の送電にかかるコストが最小になる送電電力量が定まる。
【００３９】
【数１】
2014020951.tif 000003
【００４０】
式（１）は、グリッド間における送電にかかるコストの合計を最小にする目的関数を表す。ここで、Ｗ（ｉ，ｊ）は、グリッド３０００−ｉからグリッド３０００−ｊへ大きさ１の電力を単位時間送電する際のコストを表す。また、Ｎは、グリッド統合制御装置２０００が制御するグリッド３０００の総数を表す。
【００４１】
式（２）及び式（３）は、上記の線形計画問題１における制約条件を表している。まず式（２）は、グリッド３０００−ｉの電力需要を満たすための制約条件である。グリッド３０００−ｉが他のグリッド３０００−ｊへ送電する送電電力量の合計（すなわち供給電力量）と、他のグリッド３０００−ｊから受電する受電電力量の合計（すなわち需要電力量）の差が、需給電力量テーブル１００の需給電力量１０４が示す需給電力量となる。ここで、Ｐｅ（ｉ）は、グリッド３０００−ｉの需給電力量を表す。
【００４２】
式（３）は、グリッド３０００−ｉがグリッド３０００−ｊに送電する電力の大きさに関する制約条件である。グリッド３０００−ｉがグリッド３０００−ｊに送電する電力の大きさは、グリッド３０００−ｉとグリッド３０００−ｊを結ぶ送電線５０００の送電容量以下であることを表す。ここで、Ｃ（ｉ，ｊ）は、グリッド３０００−ｉとグリッド３０００−ｊを結ぶ送電線の送電容量を表す。
【００４３】
線形計画問題１を解く具体的な方法としては例えば、シンプレックス法などの既知のアルゴリズムを利用する方法がある。
【００４４】
＜グリッド制御指示生成処理の流れ＞
図５は、グリッド制御指示生成部２０２０が行う、グリッド制御指示生成処理の流れを示している。
【００４５】
まずステップＳ１０２において、需給電力量情報取得部２０３０が、需給電力量情報を取得する。需給電力量情報の取得方法は様々である。例えば、管理者が入力端末を通じて入力する方法や、グリッド３０００から取得する方法などがある。
【００４６】
次に、ステップＳ１０４において、コスト情報取得部２０５０が、コスト情報を取得する。コスト情報の取得方法は様々である。予め各送電線５０００の所有者から取得したコスト情報をグリッド統合制御装置２０００の管理者が手動で入力する方法や、送電線５０００の所有者が公開するコスト情報のデータベース等から自動的に取得する方法などがある。
【００４７】
ステップＳ１０６において、グリッド制御指示生成部２０２０は、需給電力量情報とコスト情報に基づいて、グリッド３０００間の送電電力量を決定する。その方法は例えば、前述した線形計画問題１を解く方法である。
【００４８】
そして、ステップＳ１０８において、ステップＳ１０６で決定したグリッド３０００間の送電電力量から、前述したグリッド制御指示を生成する。前述したように、グリッド制御指示は例えば送電制御テーブル３００を有する。グリッド３０００−ｉへ送信する送電制御テーブル３００の生成は、送電元のグリッドのＩＤがｉである全てのＰｌ（ｉ，ｊ）について、グリッドＩＤ３０２＝ｊ、送電電力量３０４＝Ｐｌ（ｉ，ｊ）・Ｔｐであるレコードを生成することで行う。
【００４９】
グリッド統合制御装置２０００がグリッド制御指示生成処理を行う契機は様々である。例えば、グリッド統合制御装置２０００は、グリッド統合制御装置２０００の管理者からの指示を受けて、グリッド制御指示生成処理を実行する。また、グリッド統合制御装置２０００は、グリッド３０００からの要求を受けて、グリッド制御指示生成処理を実行してもよい。さらに、グリッド統合制御装置２０００は、繰り返しグリッド制御指示生成処理を行ってもよい。この場合、例えばグリッド統合制御装置２０００は、１時間に１回など、定期的な時間間隔でグリッド制御指示生成処理を行う。またグリッド統合制御装置２０００は、例えばランダムな時間間隔など、不定期な時間間隔でグリッド制御指示生成処理を行ってもよい。
【００５０】
＜グリッド制御部３０２０による送電処理＞
グリッド制御部３０２０は、グリッド制御指示生成部２０２０から受信するグリッド制御指示に従って送受電部３０５０を制御し、Ｔｐ時間内に他のグリッド３０００へ電力を送電する。送電制御指示が送電制御テーブル３００で表される場合、送電制御テーブル３００の各レコードを参照し、ＩＤがグリッドＩＤ３０２であるグリッド３０００へ、送電電力量３０４に示される電力量の電力を送電する。
【００５１】
＜実施形態１による作用・効果＞
以上の構成により、本実施形態によれば、各グリッド３０００の需給電力量情報及び各送電線５０００のコスト情報に基づいて、グリッド３０００の需要を満たすという条件の下、送電にかかる総コストを小さくするようにグリッド３０００の送電を制御することで、グリッド３０００間の送電にかかるコストを小さくすることができる。
【００５２】
[実施形態２]
＜概要＞
図６は、実施形態２に係るグリッド統合制御装置２０００を、その使用環境と共に示した図である。ここで図６において、図１と同符号が割り当てられている機能ブロックは、特に説明しない限り、図１の機能ブロックと同じ機能を有するとし、説明を省略する。また矢印の意味は、図１と同様である。
【００５３】
本実施形態において、少なくとも１つ以上のグリッド３０００は、電力を蓄電する蓄電部３０４０を１つ以上有する。蓄電部３０４０は、送受電部３０５０から受電した電力を蓄電する。また、蓄電部３０４０は、蓄電している電力を送受電部３０５０へ送電する。
【００５４】
グリッド制御指示生成部２０２０は、蓄電部３０４０の現在の蓄電電力量を示す蓄電情報を取得する蓄電情報取得部２０４０を有する。さらにグリッド制御指示生成部２０２０は、蓄電部３０４０の蓄電電力量の適正範囲を示す適正範囲情報を取得する適正範囲情報取得部２０７０を有する。蓄電部３０４０の蓄電電力量の適正範囲を設定しておき、蓄電部３０４０の蓄電電力量をこの適正範囲内にしておくことで、グリッド３０００が需要家７０００や他のグリッド３０００へ供給できる電力量が予期せず増減した場合に対処する。また、本実施形態における需給電力量情報取得部２０３０は、少なくとも２つ以上の複数の時間帯の各時間帯における各グリッド３０００の需給電力量を示す時系列需給電力情報を取得する。
【００５５】
そして、グリッド制御指示生成部２０２０は、時系列需給電力情報、蓄電情報、適正範囲情報、及びコスト情報に基づき、上記各時間帯における、グリッド３０００間の送電電力量、及び蓄電部３０４０が充放電する電力量（以下、充放電電力量）を決定する。具体的には、全ての時間帯において、１）時系列需給電力量情報に需給電力量が示されている全てのグリッドの需要を満たす、及び２）蓄電情報に示されている全ての蓄電部３０４０の蓄電電力量の範囲を適正範囲内にするという２つの条件の下、送電コストの合計を小さくするように、送電元グリッド、送電先グリッド、送電電力量の組み合わせ、及び蓄電部３０４０の充放電電力量を決定する。そして、グリッド制御指示生成部２０２０は、グリッド制御部３０２０へ、送受電部３０５０の送電と蓄電部３０４０の充放電を制御するグリッド制御指示を送信する。
【００５６】
グリッド制御部３０２０は、グリッド制御指示生成部２０２０から受信した送電制御指示に従い、送受電部３０５０による送電を制御する。また、グリッド制御部３０２０は、グリッド制御指示生成部２０２０から受信した充放電制御指示に従い、蓄電部３０４０の充放電を制御する。
【００５７】
以上の構成により、時系列需給電力情報、蓄電情報、適正範囲情報、及びコスト情報に基づき、各時間帯において、１）時系列需給電力量情報に需給電力量が示されている全てのグリッドの需要を満たす、及び２）蓄電情報に示されている全ての蓄電部３０４０の蓄電電力量の範囲を適正範囲内にするという２つの条件の下で送電コストの合計を小さくするように、各時間帯の送受電部３０５０による送電と蓄電部３０４０による充放電を制御する。これにより、複数の時間帯をまたいで総合的に、グリッド３０００の電力需要を満たしつつ、送電コストを小さくすることができる。また、蓄電部３０４０を利用することで、電力が余る時間帯に蓄電部３０４０へ電力を充電しておき、別の時間帯においてグリッド３０００間で電力を融通し合っても電力が不足する場合に、蓄電部３０４０から電力を供給することで、電力不足を解消することが可能になる。そして、蓄電部３０４０の蓄電電力量を予め定めた適正範囲内にすることで、グリッド３０００が需要家７０００や他のグリッド３０００へ供給できる電力量が、予期せず増減した場合に対処する。
【００５８】
以下、本実施形態の詳細を説明する。
【００５９】
＜時系列需給電力量情報の詳細＞
時系列需給電力量情報は、２つ以上の複数の時間帯それぞれについて、各グリッド３０００の需給電力量を示す。時系列需給電力量情報は例えば、図７に示す時系列需給電力量―ブル４００で表される。時系列需給電力量テーブル４００は例えば、グリッドＩＤ４０２、各時間帯における需給電力量（時間帯１の需給電力量４０４、時間帯２の需給電力量４０６など）で構成される。
【００６０】
＜蓄電情報の詳細＞
蓄電情報は、蓄電部３０４０の現在の蓄電電力量を示す。蓄電情報は例えば、図８に示す蓄電電力量テーブル５００で表される。蓄電電力量テーブル５００は例えば、蓄電部３０４０を特定するグリッドＩＤ５０２及び蓄電部ＩＤ５０４、及び蓄電部３０４０の現在の蓄電電力量を示す蓄電電力量５０６を有する。
【００６１】
＜適正範囲情報の詳細＞
適正範囲情報は、蓄電部３０４０の蓄電電力量の適正範囲を示す。蓄電部３０４０の蓄電電力量は、蓄電部３０４０の定格容量以下である必要がある。さらに蓄電部３０４０の蓄電電力量は、グリッド３０００が需要家７０００や他のグリッド３０００へ供給できる電力量が予期せず増減する場合を想定して決定することが望ましい。まず、グリッド３０００が供給可能な電力量が想定よりも多くなり、余剰電力が発生する場合に備え、蓄電部３０４０の蓄電電力量の上限値を定格容量よりも小さく設定しておくことが望ましい。これにより、上記余剰電力を蓄電部３０４０に蓄電することができるため、電力の無駄を少なくできる。そして、グリッド３０００が供給可能な電力量が想定よりも少なくなる場合に備えるために、蓄電部３０４０の蓄電電力量の下限値を設定しておくことが望ましい。こうすることで、グリッド３０００が受電する電力だけでは電力が不足する場合に、蓄電部３０４０から電力を供給することで、電力需要を満たすことができる。
【００６２】
適正範囲情報は例えば、図９に示す適正範囲テーブル６００で表される。適正範囲テーブル６００は例えば、蓄電部３０４０を特定するためのグリッドＩＤ６０２及び蓄電部ＩＤ６０４、そして蓄電部３０４０の蓄電電力量の下限値を示す下限値６０６及び上限値を示す上限値６０８を有する。
【００６３】
＜蓄電部３０４０の充放電を指示するグリッド制御指示＞
グリッド制御部３０２０は、グリッド統合制御装置２０００から受信するグリッド制御指示に従い、送受電部３０５０から蓄電部３０４０へ電力を送電して蓄電部３０４０を充電し、又は蓄電部３０４０から電力を放電して送受電部３０５０へ送電する。グリッド制御指示は例えば図１０が示す充放電制御テーブル７００を有する。充放電制御テーブル７００は例えば、ある時間帯において、蓄電部ＩＤ７０２が示す蓄電部３０４０に充放電する電力量を表す充放電電力量７０４を有する。例えばグリッド制御部３０２０は、充放電電力量７０４が正の値場合は蓄電部３０４０へ電力を充電し、充放電電力量７０４が負の値の場合は蓄電部３０４０から電力を放電する。
【００６４】
＜グリッド３０００間の送電電力量及び蓄電部３０４０の充放電電力量の決定方法＞
グリッド３０００間の送電電力量、及び蓄電部３０４０の充放電電力量を決定する具体的な方法は例えば、以下の数式２で表される線形計画問題２を満たすＰｌ（ｔ，ｉ，ｊ）及びＥ（ｔ，ｉ，ｊ）を求める方法である。Ｐｌ（ｔ，ｉ，ｊ）は、時間帯ｔにおいてグリッド３０００−ｉからグリッド３０００−ｊへ送電する電力の大きさを表す。Ｅ（ｔ，ｉ，ｊ）は、時間帯ｔの開始時における、グリッド３０００−ｉが有する蓄電部ＩＤがｊの蓄電部３０４０（以下、蓄電部３０４０−ｉ−ｊ）の蓄電電力量を表す。時間帯ｔにおける充放電電力量は、時間帯ｔ＋１における蓄電電力量Ｅ（ｔ＋１，ｉ，ｊ）から、時間帯ｔにおける蓄電電力量Ｅ（ｔ，ｉ，ｊ）を引くことで求まる。線形計画問題２を解くことで、全ての時間帯ｔにおいて、グリッド３０００の電力需要を満たし、かつ蓄電部３０４０の蓄電電力量を適正範囲内にするという条件の下、送電にかかるコストを最小にするグリッド３０００間の送電電力量及び蓄電部３０４０の充放電電力量が求まる。なお線形計画問題２の各数式中の記号の内、線形計画問題１に同記号のものがあるものは、線形計画問題１における記号と同じ意味を表す。
【００６５】
【数２】
2014020951.tif 000004
【００６６】
式（１）は線形計画問題１と同様に、送電コストの合計を最小にする目的関数である。ただし線形計画問題２におけるＴｐは、各時間帯ｔの長さを表す。
【００６７】
式（２）から式（４）は、上記の線形計画問題における制約条件を表している。まず式（２）は、各グリッド３０００−ｉの電力需要を満たすための制約条件である。各時間帯ｔにおいて、グリッド３０００−ｉが他のグリッド３０００へ送電する電力量の合計（すなわち供給電力量）と、グリッド３０００−ｉが有する蓄電部３０４０に充電する電力量の合計の和から、グリッド３０００が他のグリッド３０００から受電する電力量の合計（すなわち需要電力量）を引いた値は、グリッド３０００−ｉの需給電力量の値になることを表す。ここで、ＮＶ（ｉ）は、グリッド３０００が有する蓄電部３０４０の総数を表す。
【００６８】
式（３）は、実施形態１の式（３）と同様に、送電線５０００の送電容量による制約条件である。
【００６９】
式（４）は、蓄電部３０４０の蓄電電力量を適正範囲内にすることを表す制約条件である。ＬＥ(ｉ，ｊ)とＵＥ（ｉ，ｊ）はそれぞれ蓄電部３０４０−i−ｊの蓄電電力量の適正範囲の下限値と上限値を表している。ここで、ＬＥ（ｉ，ｊ）とＵＥ（ｉ，ｊ）の値は、適正範囲情報取得部２０７０が取得する適正範囲情報から決定する。例えば適正範囲情報が図９に示す適正範囲テーブル６００で表されている場合、グリッドＩＤ６０２＝ｉかつ蓄電部ＩＤ６０４＝ｊであるレコードにおける下限値６０６の値をＬＥ（ｉ，ｊ）、上限値６０８の値をＵＥ（ｉ，ｊ）として利用する。
【００７０】
線形計画問題２を解く具体的な方法としては、線形計画問題１と同様に、例えばシンプレックス法などの既知のアルゴリズムを利用する方法がある。
【００７１】
＜グリッド制御指示生成処理の流れ＞
【００７２】
図１１は、実施形態２におけるグリッド制御指示生成処理の流れを表している。ここで、図１１において、図５に同符号のステップがあるステップは、図５と同様の処理を行うとし、説明を省略する。
【００７３】
まず、ステップＳ２０２において、グリッド制御指示生成部２０２０は、時系列需給電力量情報を取得する。次に、ステップＳ１０４において、コスト情報を取得する。次に、ステップＳ２０４において、蓄電情報を取得する。そして、ステップＳ２０６において、適正範囲情報を取得する。
【００７４】
ステップＳ２０８において、グリッド３０００間の送電電力量及び蓄電部３０４０の充放電電力量を求める。その具体的な方法は例えば、前述した線形計画問題２を解く方法である。
【００７５】
最後に、ステップＳ２１０において、ステップＳ２０８で求めたグリッド３０００間の送電電力量及び蓄電部３０４０の充放電電力量に基づいて、グリッド制御指示を生成する。具体的には例えば、各時間帯について、グリッド３０００間の送電電力量に基づいて図４が示す送電制御テーブル３００を、蓄電部３０４０の充放電電力量に基づいて図１０が示す充放電制御テーブル７００を生成する。例えば、時間帯ｔにおいて、グリッド３０００−ｉからグリッド３０００−ｊへ送電させるためには、グリッドＩＤ３０２＝ｊかつ送電電力量３０４＝Ｐｌ（ｔ，ｉ，ｊ）・Ｔｐであるレコードを持つ送電制御テーブル３００を生成する。また時間帯ｔにおいて、蓄電部３０４０−ｉ−ｊの充放電を制御するためには、グリッド３０００−ｉについて、蓄電部ＩＤ７０２＝ｊかつ充放電電力量７０４＝｛Ｅ（ｔ＋１，ｉ，ｊ）−Ｅ（ｔ，ｉ，ｊ）｝であるレコードを持つ充放電制御テーブル７００を生成する。
【００７６】
＜グリッド制御部３０２０による送電処理と充放電処理＞
グリッド制御部３０２０は、グリッド制御指示生成部２０２０から受信するグリッド制御指示に従い、送受電部３０５０と蓄電部３０４０を制御する。前述したように、本実施形態における送電制御指示は例えば、充放電制御テーブル７００と送電制御テーブル３００で表される。ここで、送電制御テーブル３００に従った送電処理は実施形態１と同様であるため、説明を省略する。
【００７７】
グリッド制御部３０２０は、充放電制御テーブル７００の各レコードを参照し、蓄電部ＩＤ７０２が示すＩＤを持つ蓄電部３０４０を、充放電電力量７０４の値に従ってＴｐ時間内に充放電する。例えば、充放電電力量７０４の値が正の場合は、充放電電力量７０４の値で表される電力量の電力を、送受電部３０５０から蓄電部３０４０へ送電し、蓄電部３０４０を充電する。逆に、充放電電力量７０４の値が負の値の場合は、充放電電力量７０４の値の絶対値で表される電力量の電力を蓄電部３０４０から放電し、送受電部３０５０へ送電する。
【００７８】
グリッド制御指示生成部２０２０は、複数の時間帯ごとのグリッド制御指示を、各時間帯の開始時に送信してもよいし、一度にまとめて送信してもよい。グリッド制御指示生成部２０２０が各時間帯の開始時にグリッド制御指示を送信する場合、グリッド制御部３０２０はグリッド制御指示を受信する度に送受電部３０５０と蓄電部３０４０の制御を行う。グリッド制御指示生成部２０２０が複数の時間帯のグリッド制御指示を一度に送信する場合、グリッド制御部３０２０は、時間の経過を監視して各時間帯の開始を検知し、各時間帯の開始時に送受電部３０５０及び蓄電部３０４０を制御する。
【００７９】
＜実施形態２による作用・効果＞
以上の構成から、本実施形態によれば、少なくとも１つ以上のグリッド３０００が１つ以上の蓄電部３０４０を有する場合において、各グリッド３０００の電力需要を満たしつつ、さらに全ての蓄電部３０４０の蓄電電力量が適正範囲内であるという条件も満たした上で、送電にかかるコストを小さくできる。蓄電部３０４０の蓄電電力量を適正範囲内にすることで、グリッド３０００による需要家７０００や他のグリッド３０００への電力供給が不足することを防ぎ、また、グリッド３０００が受電した電力を消費しきれずに電力が無駄になることを防ぐ。
【００８０】
[実施形態３]
＜概要＞
図１２は、実施形態３に係るグリッド統合制御装置２０００を、その使用環境と共に示した図である。ここで図１２において、図１又は図６と同符号が割り当てられている機能ブロックは、特に説明しない限り、図１又は図６記載の機能ブロックと同じ機能を有するとし、説明を省略する。また、矢印の意味は図１及び図６と同じである。
【００８１】
実施形態３に係るグリッド統合制御装置２０００が制御するグリッド３０００のうち、少なくとも一つは、電力を発電する発電部３０６０を有する。発電部３０６０は例えば、再生可能エネルギーを利用して発電を行う発電装置である。具体的な例は、太陽光発電装置や風力発電装置などである。
【００８２】
実施形態３にかかるグリッド統合制御装置２０００は、発電部３０６０の発電電力量を監視し、発電電力量に応じて蓄電部３０４０の蓄電電力量の適正範囲を決定する。
【００８３】
グリッド統合制御装置２０００は、グリッド３０００から発電部３０６０の発電電力量を表す発電情報を取得する発電情報取得部２０６０を有する。またグリッド統合制御装置２０００は、時間帯ごとの発電部３０６０の発電電力量を示す発電情報履歴を記憶する発電情報履歴記憶部２１００を有する。発電情報取得部２０６０は、取得した発電電力量を、時間帯ごとに発電情報履歴記憶部２１００に保存する。
【００８４】
グリッド制御指示生成部２０２０はさらに、発電情報履歴に基づいて蓄電部３０４０の蓄電電力量の適正範囲を決定する。適正範囲決定部２１２０を有する。蓄電部３０４０の蓄電電力量の適正範囲の決定する具体的な方法は例えば、発電部３０６０の発電電力量の増減に基づいて決定する方法がある。
【００８５】
以上により、グリッド制御指示生成部２０２０は、発電部３０６０の発電電力量に基づいて、蓄電部３０４０の蓄電電力量の適正範囲を決定することで、電力の無駄や電力不足を防ぐことができる。
【００８６】
以下、本実施形態の詳細を述べる。
【００８７】
＜発電情報の詳細＞
発電情報は、発電部３０６０による発電電力量を示し、例えば図１３に示す発電電力量テーブル８００で表される。発電電力量テーブル８００は例えば、グリッドＩＤ８０２及び発電電力量８０４を有する。ここで、グリッド３０００−ｉが発電部３０６０を複数有する場合は例えば、複数の発電部３０６０の発電電力量の合計を、グリッド３０００−ｉにおける発電電力量とする。
【００８８】
発電情報取得部２０６０が、発電情報を取得する方法は様々である。例えば、グリッド統合制御装置２０００の管理者が手動で入力する方法や、発電部３０６０から取得する方法がある。
【００８９】
＜発電情報履歴の詳細＞
発電情報履歴は、各時間帯における発電部３０６０の発電電力量の履歴を示し、例えば図１４に示す発電電力量履歴テーブル９００で表される。発電電力量履歴テーブル９００は例えば、グリッドＩＤ９０２、及び時間帯ごとの発電電力量（時間帯１の発電電力量９０４、時間帯２の発電電力量９０６など）を有する。
【００９０】
＜適正範囲の決定方法＞
発電部３０６０の発電電力量に基づいて蓄電部３０４０の蓄電電力量を決定する方法は例えば、発電部３０６０の発電電力量が増加した場合は、発電部３０６０と同じグリッド３０００に属する蓄電部３０４０の蓄電電力量の適正範囲の上限値を小さくし、発電部３０６０の発電電力量が減少した場合は、発電部３０６０と同じグリッド３０００に属する蓄電部３０４０の蓄電電力量の下限値を大きくする方法である。発電部３０６０の発電電力量が増加した場合に蓄電部３０４０の蓄電電力量を少なくすることで、発電部３０６０の発電電力量が増加し続けた場合に、発電部３０６０が発電した電力を蓄電部３０４０へ蓄えられるようにしておく。こうすることで、発電した電力を消費しきれずに電力の無駄が発生することを防ぐ。また、発電部３０６０の発電電力量が減少した場合に蓄電部３０４０の蓄電電力量を多くすることで、発電部３０６０の発電電力量が減少し続けた場合に、蓄電部３０４０からより多くの電力を補えるようにしておく。こうすることで、電力不足になることを防ぐ。
【００９１】
＜適正範囲決定処理の流れ＞
図１５は、適正範囲決定部２１２０が蓄電部３０４０の蓄電電力量の適正範囲を決定する処理の流れを表している。
【００９２】
まずステップＳ３０２において、グリッドＩＤｉを１に初期化する。
【００９３】
ステップＳ３０４からステップＳ３１４は、グリッド３０００−ｉごとに行うループ処理である。まずステップＳ３０４において、ｉがグリッドの総数以下であるか判定する。ｉがグリッドの総数より小さい場合、ステップＳ３０６に進む。ｉがグリッドの総数より大きい場合、全てのグリッド３０００について処理を終えているので、ループ処理を終え、適正範囲変更処理を終了する。
【００９４】
ステップＳ３０６において、発電情報履歴記憶部２１００から、グリッド３０００−ｉの発電情報履歴を取得する。具体的には例えば、発電情報履歴が発電電力量履歴テーブル９００で表される場合、発電電力量履歴テーブル９００においてグリッドＩＤ９０２＝ｉであるレコードを取得する。
【００９５】
次に、ステップＳ３０８において、ステップＳ３０６で取得したレコードに基づいて、グリッド３０００−ｉにおける発電部３０６０の発電電力量の増減を判断する。発電電力量が減少している場合は、ステップＳ３１０に進む。発電電力量が増加している場合は、ステップＳ３１２に進む。発電電力量の増減がない場合は、ステップＳ３１４に進む。
【００９６】
発電電力量の増減を判断する方法は様々である。例えば、発電情報履歴に記憶されている発電情報の内、最も新しい時間帯がｔである場合に、時間帯ｔにおける発電電力量と、一つ前の時間帯ｔ−１における発電電力量を比較する方法がある。その他にも例えば、全ての時間帯の発電電力量に回帰分析などの統計解析手法を適用し、発電電力量の増減傾向を判断する方法もある。
【００９７】
ステップＳ３１０は、発電電力量が減少している場合の処理である。ステップＳ３１０において、適正範囲決定部２１２０は、グリッド３０００−ｉが有する蓄電部３０４０の蓄電電力量の適正範囲の下限値を大きくする。例えば、適正範囲決定部２１２０は、発電電力量の減少量に比例した値を、上記適正範囲の下限値に加える。そして、ステップＳ３１４に進む。
【００９８】
ステップＳ３１２は、発電電力量が増加している場合の処理である。ステップＳ３１２において、適正範囲決定部２１２０は、グリッド３０００−ｉが有する蓄電部３０４０の蓄電電力量適正範囲の上限値を小さくする。例えば、適正範囲決定部２１２０は、発電電力量の増加量に比例した値を、上記適正範囲の上限値から減算する。そして、ステップＳ３１４に進む。
【００９９】
ステップＳ３１４は、ステップＳ３０４から始まるループ処理の終端である。グリッドＩＤｉを１増やした後、ステップＳ３０４に戻る。
【０１００】
このように、ステップＳ３０４からステップＳ３１４の処理を繰り返すことで、全てのグリッド３０００を対象に、適正範囲の変更処理を行う。
【０１０１】
グリッド３０００が蓄電部３０４０を複数有する場合、全ての蓄電部３０４０の適正範囲を変更してもよいし、一部の蓄電部３０４０の適正範囲を変更してもよい。例えば、蓄電部３０４０をＮ個有するグリッド３０００−ｉについて、適正範囲の下限値をＸ増加させると決定した場合を考える。この場合、１つの蓄電部３０４０の適正範囲の下限値をＸ増加させる方法、全ての蓄電部３０４０の適正範囲の下限値をＸ／Ｎずつ増加させる方法、Ｎ個の中からＭ個の蓄電部３０４０を選択し、選択した蓄電部３０４０の適正範囲の下限値をＸ／Ｍずつ増加させる方法などがある。
【０１０２】
適正範囲決定部２１２０が適正範囲決定処理を行う契機は様々である。例えば、適正範囲決定部２１２０は、グリッド統合制御装置２０００の管理者からの指示を受けて、グリッド制御指示生成処理を実行する。また、適正範囲決定部２１２０は、グリッド３０００からの要求を受けて、適正範囲決定処理を実行してもよい。さらに、適正範囲決定部２１２０は、繰り返し適正範囲決定処理を行ってもよい。この場合、例えば適正範囲決定部２１２０は、１時間に１回など、定期的な時間間隔で適正範囲決定処理を行う。また適正範囲決定部２１２０は、例えばランダムな時間間隔など、不定期な時間間隔で適正範囲決定処理を行ってもよい。
【０１０３】
＜実施形態３の作用・効果＞
以上の構成から、本実施形態によれば、少なくとも１つ以上のグリッド３０００が１つ以上の蓄電部３０４０を有する場合において、各グリッド３０００の電力需要を満たしつつ、さらに全ての蓄電部３０４０の蓄電電力量が適正範囲内であるという条件も満たした上で、送電にかかるコストを小さくできる。蓄電部３０４０の蓄電電力量を適正範囲内にすることで、グリッド３０００が電力不足になることを防ぎ、また、発電部３０６０が発電した電力を蓄えきれずに電力が無駄になることを防ぐ。さらに、発電部３０６０による発電電力量の変化に追従して蓄電部３０４０の蓄電電力量の適正範囲を変更することで、発電部３０６０の発電電力量が予期せず変化した場合に、電力の無駄及び電力不足が発生することを防ぐことができる。
【０１０４】
[実施形態４]
＜概要＞
図１６は、実施形態４に係るグリッド統合制御装置２０００を、その使用環境と共に示す図である。ここで図１６において、図１、図６又は図１２に記載の機能ブロックと同符号の機能ブロックは、特に説明しない限り、図１、図６又は図１２に記載の機能ブロックと同様の機能を有するとし、説明を省略する。また、図１６におけるグリッド３０００の内部構成は例えば、図６又は図１２におけるグリッド３０００の内部構成と同じである。そのため、図１６において、グリッド３０００の内部構成は省略する。
【０１０５】
実施形態４におけるグリッド統合制御装置２０００は、需要電力量取得部２１６０、供給電力量取得部２１８０、及び需給電力量算出部２１４０を有し、これらの機能構成により、各グリッド３０００の需給電力量を算出する。需要電力量取得部２１６０は、各グリッド３０００が他のグリッド３０００から供給される電力量を示す需要電力量を取得する。供給電力量取得部２１８０は、各グリッド３０００が他のグリッド３０００へ供給する電力量を示す供給電力量を取得する。そして、需給電力量算出部２１４０は、供給電力量取得部２１８０から取得する供給電力量と需要電力量取得部２１６０から取得する需要電力量の差を示す需給電力量を算出する。
【０１０６】
グリッド制御指示生成部２０２０は、需給電力量算出部２１４０が算出した需給電力量と、コスト情報取得部２０５０が取得するコスト情報に基づいて、需給電力量を算出した全てのグリッドの電力需要を満たすという条件の下、グリッド３０００間の送電コストの合計を小さくするように、グリッド３０００間の送電電力量を決定する。
【０１０７】
＜需要電力量と供給電力量の取得方法＞
需要電力量取得部２１６０が需要電力量を取得する方法、及び供給電力量取得部２１８０が供給電力量を取得する方法は様々である。例えば、グリッド統合制御装置２０００の管理者が手動で入力する方法がある。また、需要電力量と供給電力量が、電力供給者と電力消費者の間における売買契約に基づくものである場合は、その売買契約を管理する外部のサーバから取得する方法も考えられる。需要電力量については、需要電力量が配電部３０３０から需要家７０００へ配電される電力量に基づいて定められる場合は、配電部３０３０から取得する方法も考えられる。供給電力量については、供給電力量が発電部３０６０によって発電される電力量に基づいて定められる場合は、発電部３０６０から発電電力量を取得する方法も考えられる。
【０１０８】
＜作用・効果＞
以上の構成により、本実施形態によれば、各グリッド３０００の需給電力量情報及び各送電線５０００のコスト情報に基づいて、グリッド３０００の需要を満たすという条件の下、送電にかかる総コストを小さくするようにグリッド３０００の送電を制御することで、グリッド３０００間の送電にかかるコストを小さくすることができる。また、グリッド統合制御装置２０００が需給電力量を算出する機能を有するため、管理者や外部装置が需給電力量を算出する必要がなくなり、グリッド統合制御装置２０００をより容易に利用できるようになる。
【０１０９】
[実施形態５]
＜概要＞
図１７は、実施形態５に係るグリッド制御システム８０００をその使用環境と共に示した図である。ここで、図１７において図１、図６又は図１６と同符号の機能構成部は、それらの図に記載されている同符号の機能構成部と同様の機能を有するため、説明を省略する。また、図が煩雑になることを避けるため、グリッド３０００及びグリッド制御装置６０００の組み合わせは１つだけ表記する。
【０１１０】
グリッド制御システム８０００は、グリッド統合制御装置２０００と、２つ以上のグリッド制御装置６０００を有する。グリッド統合制御装置２０００は、需給電力量情報及びコスト情報に基づいて、グリッド３０００の電力需要を満たしつつ、グリッド３０００間の送電にかかるコストが最小になるように、グリッド３０００間の送電電力量を決定する。ここで、本実施形態におけるグリッド統合制御装置２０００は、グリッド制御装置６０００から需給電力量情報を取得する。グリッド統合制御装置２０００は、決定した各グリッド３０００間の送電電力量に基づき、グリッド制御装置６０００へグリッド制御指示を送信する。
【０１１１】
グリッド制御装置６０００は、グリッド制御部６０２０を有し、１つのグリッド３０００を制御する。グリッド制御部６０２０は、グリッド統合制御装置２０００から受信するグリッド制御指示に基づいて、グリッド３０００による送電を制御する。
【０１１２】
グリッド制御装置６０００は、需要電力量取得部６０４０、供給電力量取得部６０６０及び需給電力量算出部６０８０を有し、需要電力量と供給電力量から需給電力量を算出する。需要電力量取得部６０４０は、グリッド３０００の需要電力量を取得する。供給電力量取得部６０６０は、グリッド３０００の供給電力量を取得する。需給電力量算出部６０８０は、供給電力量取得部６０６０が取得する供給電力量と需要電力量取得部６０４０が取得する需要電力量の差を示す需給電力量を算出する。
【０１１３】
以上により、グリッド制御システム８０００は、グリッド制御装置６０００により、グリッド３０００の需給電力量を算出してグリッド統合制御装置２０００へ通知する。グリッド統合制御装置２０００は、グリッド制御装置６０００から受信した需給電力量とコスト情報に基づき、グリッド３０００の需要を満たすという条件の下、送電にかかる総コストを小さくするようにグリッド３０００の送電を制御することで、グリッド３０００間の送電にかかるコストを小さくすることができる。
【０１１４】
以下、本実施形態の詳細について述べる。
【０１１５】
グリッド制御装置６０００とグリッド３０００の間は、グリッド制御装置６０００とグリッド統合制御装置２０００間を接続する通信回線４０００と同じ通信回線４０００で接続してもよいし、異なる通信回線４０００で接続してもよい。
【０１１６】
需要電力量取得部６０４０が需要電力量を取得する方法は様々であり、その方法は例えば、実施形態４における需要電力量取得部２１６０が需要電力量を取得する方法と同様である。
【０１１７】
供給電力量取得部６０６０が供給電力量を取得する方法は様々であり、その方法は例えば、実施形態４における供給電力量取得部２１８０が供給電力量を取得する方法と同様である。
【０１１８】
グリッド制御指示生成部２０２０は、グリッド３０００による送電を制御するグリッド制御指示を生成する。その方法は例えば、実施形態１におけるグリッド制御指示生成部２０２０と同様に、図５に示すフローに従ってグリッド制御指示を生成する方法である。
【０１１９】
グリッド制御部６０２０は、グリッド制御指示生成部２０２０から受信するグリッド制御指示に基づいて、グリッド３０００による送電を制御する。具体的には例えば、グリッド制御指示で指定されている送電先グリッド３０００と送電電力量の組み合わせに基づき、送受電部３０５０が上記送電先グリッド３０００へ上記送電電力量の電力を送信するように、送受電部３０５０の動作を変更する制御信号を、送受電部３０５０へ送信する。
【０１２０】
＜作用・効果＞
以上の構成により、本実施形態によれば、グリッド制御システム８０００において、グリッド制御装置６０００はグリッド３０００の需給電力量を算出してグリッド統合制御装置２０００へ通知し、グリッド統合制御装置２０００はグリッド制御装置６０００から受信した需給電力量とコスト情報取得部２０５０が取得するコスト情報に基づき、グリッド３０００の需要を満たすという条件の下、送電にかかる総コストを小さくするようにグリッド３０００の送電を制御することで、グリッド３０００間の送電にかかるコストを小さくすることができる。
【０１２１】
以上、図面を参照して本発明の実施形態について述べたが、これらは本発明の例示であり、上記の組み合わせ及び上記以外の様々な構成を採用することもできる。
【０１２２】
以下、参考形態の例を付記する。
１．  分散配置された複数のグリッドを制御するグリッド統合制御装置であって、
前記グリッドは、送電線を介して他の前記グリッドとの間で電力の送受電を行う送受電手段と、通信回線を介して接続されている当該グリッド統合制御装置から受信する制御指示に基づいて前記送受電手段を制御するグリッド制御手段を有し、
少なくとも一つの前記グリッドは電力を消費する需要家へ電力を配電する配電手段を有し、
当該グリッド統合制御装置は、
各前記グリッドについて、該グリッドが他の前記グリッドへ供給する電力量と該グリッドが他の前記グリッドから供給される電力量の差を示す需給電力量を有する需給電力量情報を取得する需給電力量情報取得手段と、
前記グリッド間の送電にかかるコストを示すコスト情報を取得するコスト情報取得手段と、
前記需給電力量情報取得手段が取得した前記需給電力量情報と、前記コスト情報取得手段が取得した前記コスト情報に基づいて、送電元の前記グリッド、送電先の前記グリッド及び送電電力量の組み合わせを決定し、決定された組み合わせに基づいて、各前記グリッドによる送電を制御する前記制御指示を生成して、各前記グリッドへ該制御指示を送信するグリッド制御指示生成手段と、
を有するグリッド統合制御装置。
２．  前記コスト情報が示すコストは、前記送電線を通じた電力送電にかかる託送料金を用いて定められている１．記載のグリッド統合制御装置。
３．  前記コスト情報が示すコストは、前記送電線を通じた電力送電による電力損失を用いて定められている１．または２．記載のグリッド統合制御装置。
４．  前記需給電力情報取得手段は、前記需給電力量情報を繰り返し取得し、
前記グリッド制御指示生成手段は、前記需給電力量情報取得手段が前記需給電力量情報を取得する度に、前記制御指示の生成及び送信を行う１．乃至３．いずれか一つ記載のグリッド統合制御装置。
５．  １．乃至４．いずれか一つ記載のグリッド統合制御装置であって、
少なくとも１つ以上の前記グリッドは、電力を蓄電できる蓄電手段を有し、前記グリッド制御手段は、当該グリッド統合制御装置から受信する制御指示に基づいて前記蓄電手段の充放電を行い、
当該グリッド統合制御装置は、
前記蓄電手段の蓄電電力量を示す蓄電情報を取得する蓄電情報取得手段と、
前記蓄電手段の蓄電電力量の適正範囲を示す適正範囲情報を取得する適正範囲情報取得手段と、を有し、
前記需給電力量情報は、複数の時間帯のそれぞれについて、各前記グリッドごとの前記需給電力量を有し、
前記グリッド制御指示生成手段は、
前記蓄電情報取得手段から、前記蓄電手段の前記蓄電情報を取得し、
前記適正範囲取得手段から、前記蓄電手段の前記適正範囲情報を取得し、
前記需給電力量情報、前記蓄電情報及び前記適正範囲情報に基づいて、各時間帯について、送電元の前記グリッド、送電先の前記グリッド、送電電力量の組み合わせ、及び各前記蓄電手段が充放電する電力量を決定し、
決定された組み合わせに基づいて、各前記グリッドによる送電と前記蓄電手段による充放電を制御する前記制御指示を生成して各前記グリッドへ送信するグリッド統合制御装置。
６．  ５．記載のグリッド統合制御装置であって、
前記グリッドの少なくとも一つは、電力を発電する発電手段を有し、
前記グリッド制御装置は、
前記発電手段の発電電力量を示す発電情報を取得する発電情報取得手段と、
前記蓄電手段及び前記発電手段の双方を有する前記グリッドについては、２つ以上の複数の時間帯のそれぞれについて、前記発電情報取得手段から前記発電情報を取得し、取得した前記発電情報に基づいて該蓄電手段の蓄電電力量の適正範囲を決定する適正範囲決定手段と、
を有するグリッド統合制御装置。
７．  前記適正範囲決定手段は、前記蓄電電力量の適正範囲の決定において、前記複数の時間帯における前記発電情報に基づいて、発電電力量が増加した前記発電手段と同じ前記グリッドに備えられている前記蓄電手段の蓄電電力量の前記適正範囲の上限値を小さくし、発電電力量が減少した前記発電手段と同じ前記グリッドに備えられている前記蓄電手段の蓄電電力量の前記適正範囲の下限値を大きくする６．記載のグリッド統合制御装置。
８．  前記適正範囲決定手段は、前記蓄電電力量の適正範囲の決定を繰り返し行う６．または７．記載のグリッド統合制御装置。
９．  前記グリッドが他の前記グリッドから供給される電力量を示す需要電力量を取得する需要電力量取得手段と、
前記グリッドが他の前記グリッドへ供給する電力量を示す供給電力量を取得する供給電力量取得手段と、
前記需要電力量取得手段が取得する前記需要電力量と前記供給電力量取得手段が取得する供給電力量の差を示す需給電力量を算出する需給電力量算出手段と、を有し、
前記需給電力量情報取得手段は、前記需給電力量算出手段が算出する前記需給電力量を取得する１．乃至８．いずれか一つ記載のグリッド統合制御装置。
１０．  グリッド制御装置と、複数の前記グリッド制御装置を制御するグリッド統合制御装置を有するグリッド制御システムであって、
前記グリッドは、少なくとも一つ以上の他の前記グリッドと送電線で接続されており、前記送電線を介して他の前記グリッドとの間で電力の送受電を行う送受電手段を有し、
少なくとも一つの前記グリッドは電力を消費する需要家へ電力を配電する配電手段を有し、
前記グリッド制御装置は、
前記グリッドが他の前記グリッドから供給される電力量を示す需要電力量を取得する需要電力量取得手段と、
前記グリッドが他の前記グリッドへ供給する電力量を示す供給電力量を取得する供給電力量取得手段と、
前記供給電力量取得手段が取得する前記供給電力量と前記需要電力量取得手段が取得する前記需要電力量の差を示す需給電力量を有する需給電力量情報を生成し、前記グリッド統合制御装置へ送信する需給電力量情報生成手段と、
通信回線を介して接続されている前記グリッド統合制御装置からの指示に従い、前記送受電手段を制御するグリッド制御手段と、を有し、
前記グリッド統合制御装置は、
各前記グリッド制御装置から前記需給電力量情報を取得する需給電力量情報取得手段と、
前記グリッド間の送電にかかるコストを示すコスト情報を取得するコスト情報取得手段と、
前記需給電力量情報取得手段が取得する前記需給電力量情報と、前記コスト情報取得手段が取得する前記コスト情報に基づいて、送電元の前記グリッド、送電先の前記グリッド及び送電電力量の組み合わせを決定し、決定された組み合わせに基づいて、各前記グリッド制御装置へ指示を送信するグリッド制御指示生成手段と、
を有するグリッド制御システム。
１１．  前記コスト情報が示すコストは、前記送電線を通じた電力送電にかかる託送料金を用いて定められている１０．記載のグリッド制御システム。
１２．  前記コスト情報が示すコストは、前記送電線を通じた電力送電による電力損失を用いて定められている１０．または１１．記載のグリッド制御システム。
１３．  前記需給電力情報生成手段は、前記需給電力量情報を繰り返し生成し、
前記需給電力情報取得手段は、前記需給電力量情報生成手段が前記需給電力量情報を生成する度に、前記需給電力量情報を取得し、
前記グリッド制御指示生成手段は、前記需給電力量情報取得手段が前記需給電力量情報を取得する度に、前記制御指示の生成及び送信を行う１０．乃至１２．いずれか一つ記載のグリッド制御システム。
１４．  １０．乃至１３．いずれか一つ記載のグリッド制御システムであって、
少なくとも１つ以上の前記グリッドは、電力を蓄電できる蓄電手段を有し、前記グリッド制御手段は、前記グリッド統合制御装置から受信する制御指示に基づいて前記蓄電手段の充放電を行い、
前記グリッド統合制御装置は、
前記蓄電手段の蓄電電力量を示す蓄電情報を取得する蓄電情報取得手段と、
前記蓄電手段の蓄電電力量の適正範囲を示す適正範囲情報を取得する適正範囲情報取得手段と、を有し、
前記需給電力量情報は、複数の時間帯のそれぞれについて、各前記グリッドごとの前記需給電力量を有し、
前記グリッド制御指示生成手段は、
前記需給電力量情報、前記蓄電情報取得手段から取得する前記蓄電情報及び前記適正範囲取得手段から取得する前記適正範囲情報に基づいて、各時間帯について、送電元の前記グリッド、送電先の前記グリッド、送電電力量の組み合わせ、及び各前記蓄電手段が充放電する電力量を決定し、
決定された組み合わせに基づいて、各前記グリッドによる送電と前記蓄電手段による充放電を制御する前記制御指示を生成して各前記グリッドへ送信するグリッド制御システム。
１５．  １４．記載のグリッド制御システムであって、
少なくとも一つの前記グリッドは、電力を発電する発電手段を有し、
前記グリッド統合制御装置は、
前記発電手段の発電電力量を示す発電情報を取得する発電情報取得手段と、
前記蓄電手段及び前記発電手段の双方を有する前記グリッドについては、２つ以上の複数の時間帯のそれぞれについて、前記発電情報取得手段から前記発電情報を取得し、取得した前記発電情報に基づいて該蓄電手段の蓄電電力量の適正範囲を決定する適正範囲決定手段と、
を有するグリッド制御システム。
１６．  前記適正範囲決定手段は、前記蓄電電力量の適正範囲の決定において、前記複数の時間帯における前記発電情報に基づいて、発電電力量が増加した前記発電手段と同じ前記グリッドに備えられている前記蓄電手段の蓄電電力量の前記適正範囲の上限値を小さくし、発電電力量が減少した前記発電手段と同じ前記グリッドに備えられている前記蓄電手段の蓄電電力量の前記適正範囲の下限値を大きくする１５．記載のグリッド制御システム。
１７．  前記適正範囲決定手段は、前記蓄電電力量の適正範囲の決定を繰り返し行う１５．または１６．に記載のグリッド制御システム。
１８．  グリッドを制御するグリッド制御装置と、複数の前記グリッド制御装置を制御するグリッド統合制御装置を有するグリッド制御システムであって、
前記グリッドは、通信回線を介して前記グリッド統合制御装置と接続されており、少なくとも一つ以上の他の前記グリッドと送電線で接続されており、前記送電線を介して他の前記グリッドとの間で電力の送受電を行う送受電手段を有し、
少なくとも一つの前記グリッドは電力を消費する需要家へ電力を配電する配電手段を有し、
前記グリッド制御装置は、通信回線を介して接続されている前記グリッド統合制御装置からの指示に従い、前記送受電手段を制御するグリッド制御手段を有し、
前記グリッド統合制御装置は、
前記グリッドが他の前記グリッドから供給される電力量を示す需要電力量を取得する需要電力量取得手段と、
前記グリッドが他の前記グリッドへ供給する電力量を示す供給電力量を取得する供給電力量取得手段と、
前記供給電力量取得手段が取得する前記供給電力量と前記需要電力量取得手段が取得する需要電力量の差を示す需給電力量を算出する需給電力量算出手段と、
前記グリッド間の送電にかかるコストを示すコスト情報を取得するコスト情報取得手段と、
前記需給電力量算出手段から取得する前記需給電力量と、前記コスト情報取得手段から取得する前記コスト情報に基づいて、送電元の前記グリッド、送電先の前記グリッド及び送電電力量の組み合わせを決定し、決定された組み合わせに基づいて、各前記グリッド制御装置へ指示を送信するグリッド制御指示生成手段と、
を有するグリッド制御システム。
１９．  前記コスト情報が示すコストは、前記送電線を通じた電力送電にかかる託送料金を用いて定められている１８．記載のグリッド制御システム。
２０．  前記コスト情報が示すコストは、前記送電線を通じた電力送電による電力損失を用いて定められている１８．または１９．記載のグリッド制御システム。
２１．  前記需給電力量算出手段は、前記需給電力量を繰り返し算出して前記グリッド統合制御装置へ送信し、
前記グリッド制御指示生成手段は、前記グリッド統合制御装置が前記需給電力量を受信する度に、前記制御指示の生成及び送信を行う１８．乃至２０．いずれか一つ記載のグリッド制御システム。
２２．  １８．乃至２１．いずれか一つ記載のグリッド制御システムであって、
少なくとも１つ以上の前記グリッドは、電力を蓄電できる蓄電手段を有し、前記グリッド制御手段は、前記グリッド統合制御装置から受信する制御指示に基づいて前記蓄電手段の充放電を行い、
前記グリッド統合制御装置は、
前記蓄電手段の蓄電電力量を示す蓄電情報を取得する蓄電情報取得手段と、
前記蓄電手段の蓄電電力量の適正範囲を示す適正範囲情報を取得する適正範囲情報取得手段と、を有し、
前記需給電力量情報は、複数の時間帯のそれぞれについて、各前記グリッドごとの前記需給電力量を有し、
前記グリッド制御指示生成手段は、
前記蓄電情報取得手段から、前記蓄電手段の前記蓄電情報を取得し、
前記適正範囲取得手段から、前記蓄電手段の前記適正範囲情報を取得し、
前記需給電力量及び前記蓄電情報及び前記適正範囲情報に基づいて、各時間帯について、送電元の前記グリッド、送電先の前記グリッド、送電電力量の組み合わせ、及び各前記蓄電手段が充放電する電力量を決定し、
決定された組み合わせに基づいて、各前記グリッドによる送電と前記蓄電手段による充放電を制御する前記制御指示を生成して各前記グリッドへ送信するグリッド制御システム。
２３．  ２２．記載のグリッド制御システムであって、
少なくとも一つの前記グリッドは、電力を発電する発電手段を有し、
前記グリッド統合制御装置は、
前記発電手段の発電電力量を示す発電情報を取得する発電情報取得手段と、
前記蓄電手段及び前記発電手段の双方を有する前記グリッドについては、２つ以上の複数の時間帯のそれぞれについて、前記発電情報取得手段から前記発電情報を取得し、取得した前記発電情報に基づいて該蓄電手段の蓄電電力量の適正範囲を決定する適正範囲決定手段と、
を有するグリッド制御システム。
２４．  前記適正範囲決定手段は、前記蓄電電力量の適正範囲の決定において、前記複数の時間帯における前記発電情報に基づいて、発電電力量が増加した前記発電手段と同じ前記グリッドに備えられている前記蓄電手段の蓄電電力量の前記適正範囲の上限値を小さくし、発電電力量が減少した前記発電手段と同じ前記グリッドに備えられている前記蓄電手段の蓄電電力量の前記適正範囲の下限値を大きくする２３．記載のグリッド制御システム。
２５．  前記適正範囲決定手段は、前記蓄電電力量の適正範囲の決定を繰り返し行う２３．または２４．に記載のグリッド制御システム。
２６．  グリッドを制御するグリッド制御装置であって、
前記グリッドは、少なくとも一つ以上の他の前記グリッドと送電線で接続されており、前記送電線を介して他の前記グリッドとの間で電力の送受電を行う送受電手段を有し、
少なくとも一つの前記グリッドは電力を消費する需要家へ電力を配電する配電手段を有し、
当該グリッド制御装置は、
前記グリッドが他の前記グリッドから供給される電力量を示す需要電力量を取得する需要電力量取得手段と、
前記グリッドが他の前記グリッドへ供給する電力量を示す供給電力量を取得する供給電力量取得手段と、
前記供給電力量取得手段が取得する前記供給電力量と前記需要電力量取得手段が取得する前記需要電力量の差を示す需給電力量を算出する需給電力量算出手段と、
該グリッド制御装置と通信回線を介して接続されており、該グリッド制御装置から取得する前記需給電力量に基づいて、送信元前記グリッド、送信先前記グリッド、送電電力量の組み合わせを決定する前記グリッド統合制御装置からの指示に従い、前記送受電手段を制御するグリッド制御手段と、
を有するグリッド制御装置。
２７．  ２６．記載のグリッド制御装置であって、
前記グリッド統合制御装置は、前記需給電力量を取得する度に前記グリッド制御装置に指示を送信し、
前記需給電力量算出手段は、前記需給電力量を繰り返し算出して前記グリッド統合制御装置へ送信するグリッド制御装置。
２８．  コンピュータに、分散配置された複数のグリッドを制御するグリッド統合制御装置として動作する機能を持たせるプログラムであって、
前記グリッドは、少なくとも一つ以上の他の前記グリッドと送電線で接続されており、前記送電線を介して他の前記グリッドとの間で電力の送受電を行い、通信回線を介して接続されている前記コンピュータから受信する制御指示に基づいて前記電力の送受電を制御し、
当該プログラムは、前記コンピュータに、
各前記グリッドについて、該グリッドが他の前記グリッドへ供給する電力量と該グリッドが他の前記グリッドから供給される電力量の差を示す需給電力量を有する需給電力量情報を取得する機能と、
前記グリッド間の送電にかかるコストを示すコスト情報を取得する機能と、
前記需給電力量情報と前記コスト情報に基づいて、送電元の前記グリッド、送電先の前記グリッド及び送電電力量の組み合わせを決定し、決定された組み合わせに基づいて、各前記グリッドによる送電を制御する制御指示を生成して、各前記グリッドへ該制御指示を送信する機能と、
を持たせるプログラム。
２９．  前記コンピュータに、
前記需給電力量情報を繰り返し取得する機能と、
前記需給電力量情報を取得する度に、前記制御指示の生成及び送信を行う機能と、
をさらに持たせる２８．記載のプログラム。
３０．  ２８．または２９．記載のプログラムであって、
少なくとも１つ以上の前記グリッドは、電力を蓄電できる蓄電手段を有し、前記グリッド制御手段は、前記コンピュータから受信する制御指示に基づいて前記蓄電手段の充放電を行い、
前記プログラムは、前記コンピュータに、
前記蓄電手段の蓄電電力量を示す蓄電情報を取得する機能と、
前記蓄電手段の蓄電電力量の適正範囲を示す適正範囲情報を取得する機能と、
複数の時間帯のそれぞれについて、各前記グリッドごとの前記需給電力量を有する、前記需給電力量情報を取得する機能と、
前記需給電力量情報、前記蓄電情報及び前記適正範囲情報に基づいて、各時間帯について、送電元の前記グリッド、送電先の前記グリッド、送電電力量の組み合わせ、及び各前記蓄電手段が充放電する電力量を決定する機能と、
決定された組み合わせに基づいて、各前記グリッドによる送電と前記蓄電手段による充放電を制御する前記制御指示を生成して各前記グリッドへ送信する機能と、
をさらに持たせるプログラム。
３１．  ３０．記載のプログラムであって、
少なくとも一つの前記グリッド、電力を発電する発電手段を有し、
前記プログラムは、前記コンピュータに、
前記発電手段の発電電力量を示す発電情報を取得する機能と、
前記蓄電手段及び前記発電手段の双方を有する前記グリッドについては、２つ以上の複数の時間帯のそれぞれについて、取得した前記発電情報に基づいて該蓄電手段の蓄電電力量の適正範囲を決定する機能と、
をさらに持たせるプログラム。
３２．  前記コンピュータに、前記蓄電電力量の適正範囲の決定において、前記複数の時間帯における前記発電情報に基づいて、発電電力量が増加した前記発電手段と同じ前記グリッドに備えられている前記蓄電手段の蓄電電力量の前記適正範囲の上限値を小さくし、発電電力量が減少した前記発電手段と同じ前記グリッドに備えられている前記蓄電手段の蓄電電力量の前記適正範囲の下限値を大きくする機能をさらに持たせる３１．記載のプログラム。
３３．  前記コンピュータに、前記蓄電電力量の適正範囲の決定を繰り返し行う機能を持たせる３１．または３２．に記載のプログラム。
３４．  前記コンピュータに、
前記グリッドが他の前記グリッドから供給される電力量を示す需要電力量を取得する機能と、
前記グリッドが他の前記グリッドへ供給する電力量を示す供給電力量を取得する機能と、
前記需要電力量と前記供給電力量の差を示す需給電力量を算出する機能と、
をさらに持たせる２８．乃至３３．いずれか一つに記載のプログラム。
３５．  グリッド制御装置とグリッド統合制御装置を有するグリッド制御システムに、グリッドを制御する機能を持たせるプログラムであって、
前記グリッド統合制御装置と前記グリッド制御装置は通信回線を介して接続されており、
前記グリッドは通信回線を介して前記グリッド制御装置と接続されており、少なくとも一つ以上の他の前記グリッドと送電線で接続されており、前記送電線を介して他の前記グリッドとの間で電力の送受電を行う送受電手段を有し、
当該プログラムは、
前記グリッド統合制御装置に、
前記グリッドが他の前記グリッドから供給される電力量を示す需要電力量を取得する機能と、
前記グリッドが他の前記グリッドへ供給する電力量を示す供給電力量を取得する機能と、
前記供給電力量と前記需要電力量の差を示す需給電力量を算出する機能と、
前記グリッド間の送電にかかるコストを示すコスト情報を取得する機能と、
前記需給電力量と前記コスト情報に基づいて、送電元の前記グリッド、送電先の前記グリッド及び送電電力量の組み合わせを決定し、決定された組み合わせに基づいて、各前記グリッド制御装置へ指示を送信する機能と、
を持たせ、
前記グリッド制御装置に、前記グリッド統合制御装置からの指示に従い、前記送受電手段を制御する機能を持たせるプログラム。
３６．  前記グリッド統合制御装置に、前記需給電力量を繰り返し算出する機能と、前記需給電力量を算出する度に前記制御指示の生成及び送信を行う機能をさらに持たせる３５．記載のプログラム。
３７．  ３５．または３６．記載のプログラムであって、
少なくとも１つ以上の前記グリッドは、電力を蓄電できる蓄電手段を有し、前記グリッド制御手段は、前記グリッド統合制御装置から受信する制御指示に基づいて前記蓄電手段の充放電を行い、
前記プログラムは、
前記グリッド統合制御装置に、
前記蓄電手段の蓄電電力量を示す蓄電情報を取得する機能と、
前記蓄電手段の蓄電電力量の適正範囲を示す適正範囲情報を取得する機能と、
複数の時間帯のそれぞれについて、各前記グリッドごとの前記需給電力量を算出する機能と、
前記需給電力量及び前記蓄電情報及び前記適正範囲情報に基づいて、各時間帯について、送電元の前記グリッド、送電先の前記グリッド、送電電力量の組み合わせ、及び各前記蓄電手段が充放電する電力量を決定する機能と、
決定された組み合わせに基づいて、前記グリッド制御装置へ、前記送受電手段による送電と前記蓄電手段の充放電を制御する指示を送信する機能と、
をさらに持たせ、
前記グリッド制御装置に、前記指示に従い、前記送受電手段による送電と前記蓄電手段による充放電を制御する機能をさらに持たせるプログラム。
３８．  ３７．記載のプログラムであって、
少なくとも一つの前記グリッドは、電力を発電する発電手段を有し、
前記プログラムは、前記グリッド統合制御装置に、
前記発電手段の発電電力量を示す発電情報を取得する機能と、
前記蓄電手段及び前記発電手段の双方を有する前記グリッドについては、２つ以上の複数の時間帯のそれぞれについて、前記発電情報取得手段から前記発電情報を取得し、取得した前記発電情報に基づいて該蓄電手段の蓄電電力量の適正範囲を決定する機能と、
をさらに持たせるプログラム。
３９．  前記グリッド統合制御装置に、前記蓄電電力量の適正範囲の決定において、前記複数の時間帯における前記発電情報に基づいて、発電電力量が増加した前記発電手段と同じ前記グリッドに備えられている前記蓄電手段の蓄電電力量の前記適正範囲の上限値を小さくし、発電電力量が減少した前記発電手段と同じ前記グリッドに備えられている前記蓄電手段の蓄電電力量の前記適正範囲の下限値を大きくする機能をさらに持たせる３８．記載のプログラム。
４０．  前記グリッド統合制御システムに、前記蓄電電力量の適正範囲の決定を繰り返し行う機能をさらに持たせる３８．または３９．記載のプログラム。
４１．  グリッド制御装置とグリッド統合制御装置を有するグリッド制御システムに、グリッドを制御する機能を持たせるプログラムであって、
前記グリッド統合制御装置と前記グリッド制御装置は通信回線を介して接続されており、
前記グリッドは通信回線を介して前記グリッド制御装置と接続されており、少なくとも一つ以上の他の前記グリッドと送電線で接続されており、前記送電線を介して他の前記グリッドとの間で電力の送受電を行う送受電手段を有し、
当該プログラムは、
前記グリッド制御装置に、
前記グリッドが他の前記グリッドから供給される電力量を示す需要電力量を取得する機能と、
前記グリッドが他の前記グリッドへ供給する電力量を示す供給電力量を取得する機能と、
前記供給電力量と前記需要電力量の差を示す需給電力量を算出して前記グリッド統合制御装置に送信する機能と、
前記グリッド統合制御装置からの指示に従い、前記送受電手段を制御する機能と、
を持たせ、
前記グリッド統合制御装置に、
前記グリッド間の送電にかかるコストを示すコスト情報を取得する機能と、
前記需給電力量と前記コスト情報に基づいて、送電元の前記グリッド、送電先の前記グリッド及び送電電力量の組み合わせを決定し、決定された組み合わせに基づいて、各前記グリッド制御装置へ指示を送信する機能と、
を持たせるプログラム。
４２．  前記グリッド制御装置に、前記需給電力量を繰り返し算出して前記グリッド統合制御装置に送信する機能をさらに持たせ、
前記グリッド統合制御装置に、前記需給電力量を取得する度に、前記制御指示の生成及び送信を行う機能をさらに持たせる４１．記載のプログラム。
４３．  ４１．または４２．記載のプログラムであって、
少なくとも１つ以上の前記グリッドは、電力を蓄電できる蓄電手段を有し、前記グリッド制御手段は、前記グリッド統合制御装置から受信する制御指示に基づいて前記蓄電手段の充放電を行い、
前記プログラムは、
前記グリッド統合制御装置に、
前記蓄電手段の蓄電電力量を示す蓄電情報を取得する機能と、
前記蓄電手段の蓄電電力量の適正範囲を示す適正範囲情報を取得する機能と、
複数の時間帯のそれぞれについて、各前記グリッドごとの前記需給電力量を算出する機能と、
前記需給電力量及び前記蓄電情報及び前記適正範囲情報に基づいて、各時間帯について、送電元の前記グリッド、送電先の前記グリッド、送電電力量の組み合わせ、及び各前記蓄電手段が充放電する電力量を決定する機能と、
決定された組み合わせに基づいて、前記グリッド制御装置へ、前記送受電手段による送電と前記蓄電手段の充放電を制御する指示を送信する機能と、
をさらに持たせ、
前記グリッド制御装置に、前記指示に従い、前記送受電手段による送電と前記蓄電手段による充放電を制御する機能をさらに持たせるプログラム。
４４．  ４３．記載のプログラムであって、
少なくとも一つの前記グリッドは、電力を発電する発電手段を有し、
前記プログラムは、前記グリッド統合制御装置に、
前記発電手段の発電電力量を示す発電情報を取得する機能と、
前記蓄電手段及び前記発電手段の双方を有する前記グリッドについては、２つ以上の複数の時間帯のそれぞれについて、前記発電情報取得手段から前記発電情報を取得し、取得した前記発電情報に基づいて該蓄電手段の蓄電電力量の適正範囲を決定する機能と、
をさらに持たせるプログラム。
４５．  前記グリッド統合制御装置に、前記蓄電電力量の適正範囲の決定において、前記複数の時間帯における前記発電情報に基づいて、発電電力量が増加した前記発電手段と同じ前記グリッドに備えられている前記蓄電手段の蓄電電力量の前記適正範囲の上限値を小さくし、発電電力量が減少した前記発電手段と同じ前記グリッドに備えられている前記蓄電手段の蓄電電力量の前記適正範囲の下限値を大きくする機能をさらに持たせる４４．記載のプログラム。
４６．  前記グリッド統合制御システムに、前記蓄電電力量の適正範囲の決定を繰り返し行う機能をさらに持たせる４５．記載のプログラム。
４７．  コンピュータに、グリッドを制御するグリッド制御装置として動作する機能を持たせるプログラムであって、
前記グリッドは、少なくとも一つ以上の他の前記グリッドと送電線で接続されており、前記送電線を介して他の前記グリッドとの間で電力の送受電を行う送受電手段を有し、
当該プログラムは、前記コンピュータに、
前記グリッドが他の前記グリッドから供給される電力量を示す需要電力量を取得する機能と、
前記グリッドが他の前記グリッドへ供給する電力量を示す供給電力量を取得する機能と、
前記供給電力量と前記需要電力量の差を示す需給電力量を算出する機能と、
該グリッド制御装置と通信回線を介して接続されており、該グリッド制御装置から取得する前記需給電力量に基づいて、送信元前記グリッド、送信先前記グリッド、送電電力量の組み合わせを決定する前記グリッド統合制御装置からの指示に従い、前記送受電手段を制御する機能と、
を持たせるプログラム。
４８．  ４７．記載のプログラムであって、
前記グリッド統合制御装置は、前記コンピュータから前記需給電力量を受信するたびに前記コンピュータに指示を行い、
前記プログラムは、前記コンピュータに、前記需給電力量を繰り返し算出して前記グリッド統合制御装置へ送信する機能を持たせるプログラム。
４９．  分散配置された複数のグリッドを制御するコンピュータによって実行される制御方法であって、
前記グリッドは、少なくとも一つ以上の他の前記グリッドと送電線で接続されており、前記送電線を介して他の前記グリッドとの間で電力の送受電を行い、通信回線を介して接続されている前記コンピュータから受信する制御指示に基づいて前記電力の送受電を制御し、
当該制御方法は、
各前記グリッドについて、該グリッドが他の前記グリッドへ供給する電力量と該グリッドが他の前記グリッドから供給される電力量の差を示す需給電力量を有する需給電力量情報を取得するステップと、
前記グリッド間の送電にかかるコストを示すコスト情報を取得するステップと、
前記需給電力量情報と前記コスト情報に基づいて、送電元の前記グリッド、送電先の前記グリッド及び送電電力量の組み合わせを決定し、決定された組み合わせに基づいて、各前記グリッドによる送電を制御する制御指示を生成して、各前記グリッドへ該制御指示を送信するステップと、
を有する制御方法。
５０．  前記需給電力量情報を繰り返し取得するステップと、
前記需給電力量情報を取得する度に、前記制御指示の生成及び送信を行うステップと、
をさらに有する４９．記載の制御方法。
５１．  ４９．または５０．記載の制御方法であって、
少なくとも１つ以上の前記グリッドは、電力を蓄電できる蓄電手段を有し、前記グリッド制御手段は、前記コンピュータから受信する制御指示に基づいて前記蓄電手段の充放電を行い、
前記制御方法は、
前記蓄電手段の蓄電電力量を示す蓄電情報を取得するステップと、
前記蓄電手段の蓄電電力量の適正範囲を示す適正範囲情報を取得するステップと、
複数の時間帯のそれぞれについて、各前記グリッドごとの前記需給電力量を有する前記需給電力量情報を取得するステップと、
前記需給電力量情報、前記蓄電情報及び前記適正範囲情報に基づいて、各時間帯について、送電元の前記グリッド、送電先の前記グリッド、送電電力量の組み合わせ、及び各前記蓄電手段が充放電する電力量を決定するステップと、
決定された組み合わせに基づいて、各前記グリッドによる送電と前記蓄電手段による充放電を制御する前記制御指示を生成して各前記グリッドへ送信するステップと、
をさらに有する制御方法。
５２．  ５１．記載の制御方法であって、
少なくとも一つの前記グリッドは、電力を発電する発電手段を有し、
前記制御手段は、
前記発電手段の発電電力量を示す発電情報を取得するステップと、
前記蓄電手段及び前記発電手段の双方を有する前記グリッドについては、２つ以上の複数の時間帯のそれぞれについて、取得した前記発電情報に基づいて該蓄電手段の蓄電電力量の適正範囲を決定するステップと、
をさらに有する制御方法。
５３．  前記蓄電電力量の適正範囲の決定において、前記複数の時間帯における前記発電情報に基づいて、発電電力量が増加した前記発電手段と同じ前記グリッドに備えられている前記蓄電手段の蓄電電力量の前記適正範囲の上限値を小さくし、発電電力量が減少した前記発電手段と同じ前記グリッドに備えられている前記蓄電手段の蓄電電力量の前記適正範囲の下限値を大きくするステップをさらに有する５２．記載の制御方法。
５４．  前記蓄電電力量の適正範囲の決定を繰り返し行うステップをさらに有する５２．または５３．に記載の制御方法。
５５．  前記グリッドが他の前記グリッドから供給される電力量を示す需要電力量を取得するステップと、
前記グリッドが他の前記グリッドへ供給する電力量を示す供給電力量を取得するステップと、
前記需要電力量と前記供給電力量の差を示す需給電力量を算出するステップと、
をさらに有する４９．乃至５４．いずれか一つに記載の制御方法。
５６．  複数のグリッド制御装置と、グリッド統合制御装置を有するグリッド制御システムが、グリッドを制御する制御方法であって、
前記グリッド統合制御装置と前記グリッド制御装置は通信回線を介して接続されており、
前記グリッドは通信回線を介して前記グリッド制御装置と接続されており、少なくとも一つ以上の他の前記グリッドと送電線で接続されており、前記送電線を介して他の前記グリッドとの間で電力の送受電を行う送受電手段を有し、
当該制御方法は、
前記グリッド統合制御装置が、前記グリッドが他の前記グリッドから供給される電力量を示す需要電力量を取得するステップと、
前記グリッド統合制御装置が、前記グリッドが他の前記グリッドへ供給する電力量を示す供給電力量を取得するステップと、
前記グリッド統合制御装置が、前記供給電力量と前記需要電力量の差を示す需給電力量を算出するステップと、
前記グリッド統合制御装置が、前記グリッド間の送電にかかるコストを示すコスト情報を取得するステップと、
前記グリッド統合制御装置が、前記需給電力量と前記コスト情報に基づいて、送電元の前記グリッド、送電先の前記グリッド及び送電電力量の組み合わせを決定し、決定された組み合わせに基づいて、各前記グリッド制御装置へ指示を送信するステップと、
前記グリッド制御装置が、前記グリッド統合制御装置からの指示に従い、前記送受電手段を制御するステップと、
を有する制御方法。
５７．  前記グリッド統合制御装置が、前記需給電力量を繰り返し算出するステップと、
前記グリッド統合制御装置が、前記需給電力量を算出する度に、前記制御指示の生成及び送信を行うステップと、
を有する５６．記載の制御方法。
５８．  ５６．または５７．記載の制御方法であって、
少なくとも１つ以上の前記グリッドは、電力を蓄電できる蓄電手段を有し、前記グリッド制御手段は、前記グリッド統合制御装置から受信する制御指示に基づいて前記蓄電手段の充放電を行い、
前記制御方法は、
前記グリッド統合制御装置が、前記蓄電手段の蓄電電力量を示す蓄電情報を取得するステップと、
前記グリッド統合制御装置が、前記蓄電手段の蓄電電力量の適正範囲を示す適正範囲情報を取得するステップと、
前記グリッド統合制御装置が、複数の時間帯のそれぞれについて、各前記グリッドごとの前記需給電力量を算出するステップと、
前記グリッド統合制御装置が、前記需給電力量及び前記蓄電情報及び前記適正範囲情報に基づいて、各時間帯について、送電元の前記グリッド、送電先の前記グリッド、送電電力量の組み合わせ、及び各前記蓄電手段が充放電する電力量を決定するステップと、
前記グリッド統合制御装置が、決定された組み合わせに基づいて、前記グリッド制御装置へ、前記送受電手段による送電と前記蓄電手段の充放電を制御する指示を送信するステップと、
前記グリッド制御装置が、前記指示に従い、前記送受電手段による送電と前記蓄電手段による充放電を制御するステップと、
を有する制御方法。
５９．  ５８．記載の制御方法であって、
少なくとも一つの前記グリッドは、電力を発電する発電手段を有し、
前記制御方法は、
前記グリッド統合制御装置が、前記発電手段の発電電力量を示す発電情報を取得するステップと、
前記グリッド統合制御装置が、前記蓄電手段及び前記発電手段の双方を有する前記グリッドについては、２つ以上の複数の時間帯のそれぞれについて、前記発電情報取得手段から前記発電情報を取得し、取得した前記発電情報に基づいて該蓄電手段の蓄電電力量の適正範囲を決定するステップと、
をさらに有する制御方法。
６０．  前記グリッド統合制御装置が、前記蓄電電力量の適正範囲の決定において、前記複数の時間帯における前記発電情報に基づいて、発電電力量が増加した前記発電手段と同じ前記グリッドに備えられている前記蓄電手段の蓄電電力量の前記適正範囲の上限値を小さくし、発電電力量が減少した前記発電手段と同じ前記グリッドに備えられている前記蓄電手段の蓄電電力量の前記適正範囲の下限値を大きくするステップをさらに有する５９．記載の制御方法。
６１．  前記グリッド統合制御システムが、前記蓄電電力量の適正範囲の決定を繰り返し行うステップをさらに有する５９．または６０．記載の制御方法。
６２．  グリッドを制御するグリッド制御装置と、複数の前記グリッド制御装置を制御するグリッド統合制御装置を有するグリッド制御システムが、前記グリッドを制御する制御方法であって、
前記グリッド統合制御装置と前記グリッド制御装置は通信回線を介して接続されており、
前記グリッドは通信回線を介して前記グリッド制御装置と接続されており、少なくとも一つ以上の他の前記グリッドと送電線で接続されており、前記送電線を介して他の前記グリッドとの間で電力の送受電を行う送受電手段を有し、
前記制御方法は、
前記グリッド装置が、前記グリッドが他の前記グリッドから供給される電力量を示す需要電力量を取得するステップと、
前記グリッド装置が、前記グリッドが他の前記グリッドへ供給する電力量を示す供給電力量を取得するステップと、
前記グリッド装置が、前記供給電力量と前記需要電力量の差を示す需給電力量を算出して前記グリッド統合制御装置に送信するステップと、
前記グリッド統合制御装置が、前記グリッド間の送電にかかるコストを示すコスト情報を取得するステップと、
前記グリッド統合制御装置が、前記需給電力量と前記コスト情報に基づいて、送電元の前記グリッド、送電先の前記グリッド及び送電電力量の組み合わせを決定し、決定された組み合わせに基づいて、各前記グリッド制御装置へ指示を送信するステップと、
前記グリッド制御装置が、前記グリッド統合制御装置からの指示に従い、前記送受電手段を制御するステップと、
を有する制御方法。
６３．  前記グリッド制御装置が、前記需給電力量を繰り返し算出して前記グリッド統合制御装置に送信するステップと、
前記グリッド統合制御装置が、前記グリッド制御装置から前記需給電力量を取得する度に、前記制御指示の生成及び送信を行うステップと、
を有する６２．記載の制御方法。
６４．  ６１．または６２．記載の制御方法であって、
少なくとも１つ以上の前記グリッドは、電力を蓄電できる蓄電手段を有し、前記グリッド制御手段は、前記グリッド統合制御装置から受信する制御指示に基づいて前記蓄電手段の充放電を行い、
当該制御方法は、
前記グリッド統合制御装置が、前記蓄電手段の蓄電電力量を示す蓄電情報を取得するステップと、
前記グリッド統合制御装置が、前記蓄電手段の蓄電電力量の適正範囲を示す適正範囲情報を取得するステップと、
前記グリッド制御装置が、複数の時間帯のそれぞれについて、各前記グリッドごとの前記需給電力量を算出して前記グリッド統合制御装置へ送信するステップと、
前記グリッド統合制御装置が、前記需給電力量及び前記蓄電情報及び前記適正範囲情報に基づいて、各時間帯について、送電元の前記グリッド、送電先の前記グリッド、送電電力量の組み合わせ、及び各前記蓄電手段が充放電する電力量を決定するステップと、
前記グリッド統合制御装置が、決定された組み合わせに基づいて、前記グリッド制御装置へ、前記送受電手段による送電と前記蓄電手段の充放電を制御する指示を送信するステップと、
前記グリッド制御装置が、前記指示に従い、前記送受電手段による送電と前記蓄電手段による充放電を制御するステップと、
を有する制御方法。
６５．  ６４．記載の制御方法であって、
少なくとも一つの前記グリッドは、電力を発電する発電手段を有し、
前記制御方法は、
前記グリッド統合制御装置が、前記発電手段の発電電力量を示す発電情報を取得するステップと、
前記グリッド統合制御装置が、前記蓄電手段及び前記発電手段の双方を有する前記グリッドについては、２つ以上の複数の時間帯のそれぞれについて、前記発電情報取得手段から前記発電情報を取得し、取得した前記発電情報に基づいて該蓄電手段の蓄電電力量の適正範囲を決定するステップと、
をさらに有する制御方法。
６６．  前記グリッド統合制御装置が、前記蓄電電力量の適正範囲の決定において、前記複数の時間帯における前記発電情報に基づいて、発電電力量が増加した前記発電手段と同じ前記グリッドに備えられている前記蓄電手段の蓄電電力量の前記適正範囲の上限値を小さくし、発電電力量が減少した前記発電手段と同じ前記グリッドに備えられている前記蓄電手段の蓄電電力量の前記適正範囲の下限値を大きくするステップをさらに有する６５．記載の制御方法。
６７．  前記グリッド統合制御システムが、前記蓄電電力量の適正範囲の決定を繰り返し行うステップをさらに有する６２．乃至６６．いずれか一つに記載の制御方法。
６８．  グリッドを制御するグリッド制御装置を制御するコンピュータによって実行される制御方法であって、
前記グリッドは、少なくとも一つ以上の他の前記グリッドと送電線で接続されており、前記送電線を介して他の前記グリッドとの間で電力の送受電を行う送受電手段を有し、
当該制御方法は、
前記グリッドが他の前記グリッドから供給される電力量を示す需要電力量を取得するステップと、
前記グリッドが他の前記グリッドへ供給する電力量を示す供給電力量を取得するステップと、
前記供給電力量と前記需要電力量の差を示す需給電力量を算出するステップと、
前記該グリッド制御装置と通信回線を介して接続されており、該グリッド制御装置から取得する前記需給電力量に基づいて、送信元前記グリッド、送信先前記グリッド、送電電力量の組み合わせを決定する前記グリッド統合制御装置からの指示に従い、前記送受電手段を制御するステップと、
を有する制御方法。
６９．  ６８．記載の制御方法であって、
前記グリッド統合制御装置は、前記コンピュータから前記需給電力量を取得する度に、前記コンピュータに指示を行い、
前記制御方法は、前記需給電力量を繰り返し算出して前記グリッド統合制御装置へ送信するステップをさらに有する制御方法。
【０１２３】
この出願は、２０１２年７月３０日に出願された日本出願特願２０１２−１６８２５０号を基礎とする優先権を主張し、その開示の全てをここに取り込む。
【図１】
2014020951.tif 000005
【図２】
2014020951.tif 000006
【図３】
2014020951.tif 000007
【図４】
2014020951.tif 000008
【図５】
2014020951.tif 000009
【図６】
2014020951.tif 000010
【図７】
2014020951.tif 000011
【図８】
2014020951.tif 000012
【図９】
2014020951.tif 000013
【図１０】
2014020951.tif 000014
【図１１】
2014020951.tif 000015
【図１２】
2014020951.tif 000016
【図１３】
2014020951.tif 000017
【図１４】
2014020951.tif 000018
【図１５】
2014020951.tif 000019
【図１６】
2014020951.tif 000020
【図１７】
2014020951.tif 000021
【国際調査報告】
2014020951.tif 000022
2014020951.tif 000023